(57)【特許請求の範囲】
【請求項１】
遊技を行うことが可能な遊技機であって、
所定方向に向けて湾曲状に延設される曲壁部と、
電気部品が配設されるとともに、前記曲壁部に一面を対向させた状態で該曲壁部に沿って延設されるフレキシブル基板と、
前記フレキシブル基板における少なくとも前記電気部品の配設位置近傍を保持する保持手段と、
を備え、
前記電気部品は発光体を含み、
前記遊技機は、前記発光体からの光を拡散する光拡散部材をさらに備え、
前記保持手段は、
前記フレキシブル基板の湾曲凹部側に、前記電気部品における該フレキシブル基板の延設方向の一方側に配置される第１保持部と、
前記フレキシブル基板の湾曲凹部側に、前記電気部品における該フレキシブル基板の延設方向の他方側に配置される第２保持部と、
前記フレキシブル基板の湾曲凸部側に配置され、該フレキシブル基板における前記第１保持部と前記第２保持部との間を前記湾曲凹部側に向けて押圧する第３保持部と、
から構成され、
前記フレキシブル基板における前記電気部品の配設位置の曲率が、前記曲壁部における前記電気部品に対応する位置の曲率よりも小さく、
前記第３保持部は、前記第１保持部の先端と前記第２保持部の先端とを結ぶ直線より前記湾曲凹部側に突出しないように設けられている
ことを特徴とする遊技機。
【発明の詳細な説明】
【技術分野】
【０００１】
本発明は、遊技を行うことが可能な遊技機に関する。
【背景技術】
【０００２】
パチンコ遊技機やスロットマシン等の遊技機では、遊技に関連する演出画像を表示するための表示装置の他に、演出や装飾のためのＬＥＤ等の複数の電子部品が設けられている。
【０００３】
また、このような複数のＬＥＤからの光を外部に透過させるレンズ板を備えるものにおいて、該レンズ板が曲面状に形成されている場合、各ＬＥＤとレンズ板との距離が均一でないと、外から見る方向によって輝度の差が生じることがある。
【０００４】
複数のＬＥＤを曲面に沿って配置する技術としては、例えば各々分割された帯板状をなすＬＥＤ基板（リジッド基板）の背後にフレキシブル基板を配置し、該フレキシブル基板によって分割された各ＬＥＤ基板同士を連結および配線接続することで、各ＬＥＤ基板をレンズ板の曲面に沿って略平行に配置できるようにしたものがあった（例えば、特許文献１参照）。
【先行技術文献】
【特許文献】
【０００５】
【特許文献１】特開２０００−１００２１９号公報（第４頁、第２図）
【発明の概要】
【発明が解決しようとする課題】
【０００６】
上記特許文献１に記載の技術では、複数のＬＥＤをレンズ板の曲面に沿って略平行に配置することはできるものの、ＬＥＤ基板だけでなく、該各複数のＬＥＤ基板を連結するフレキシブル基板が必要となることで、構造が複雑化するとともに、部品点数が増加して製造コストが高くなるという問題があった。
【０００７】
また、フレキシブル基板に直接ＬＥＤを配置することも考えられるが、例えばフレキシブル基板を配置する際の曲率が大きくなると、該基板上に半田等により取り付けられているＬＥＤの端子が外れてしまう虞があった。
【０００８】
本発明は、このような問題点に着目してなされたもので、簡単な構造で複数の電気部品を湾曲状に配置することができる遊技機を提供することを目的とする。
【課題を解決するための手段】
【０００９】
前記課題を解決するために、本発明の請求項１に記載の遊技機は、
遊技を行うことが可能な遊技機（パチンコ遊技機１）であって、
所定方向に向けて湾曲状に延設される曲壁部（内周壁５７０の内面，外周壁５７１の外面）と、
電気部品（第１演出ＬＥＤ６１ａ，６１ｂ、基板側コネクタ６１ｄ）が配設されるとともに、前記曲壁部に一面（内面）を対向させた状態で該曲壁部に沿って配置されるフレキシブル基板（５１１ａ，５１１ｂ）と、
前記フレキシブル基板における少なくとも前記電気部品の配設位置近傍を保持する保持手段（内リブ５８０、外リブ５８１）と、
前記電気部品は発光体を含み、
前記遊技機は、前記発光体からの光を拡散する光拡散部材をさらに備え、
を備え、
前記保持手段は、
前記フレキシブル基板の湾曲凹部側に、前記電気部品における該フレキシブル基板の延設方向の一方側に配置される第１保持部（内リブ５８０ａ）と、
前記フレキシブル基板の湾曲凹部側に、前記電気部品における該フレキシブル基板の延設方向の他方側に配置される第２保持部（内リブ５８０ｂ）と、
前記フレキシブル基板の湾曲凸部側に配置され、該フレキシブル基板における前記第１保持部と第２保持部と間を前記湾曲凹部側に向けて押圧する第３保持部（外リブ５８１ａ）と、
から構成され、
前記フレキシブル基板における前記電気部品の配設位置の曲率（Ｒ２）が、前記曲壁部における前記電気部品に対応する位置の曲率（Ｒ１）よりも小さく（図１９参照）、
前記第３保持部は、前記第１保持部の先端と前記第２保持部の先端とを結ぶ直線より前記湾曲凹部側に突出しないように設けられている
ことを特徴としている。
この特徴によれば、フレキシブル基板における第１保持部および第２保持部に対応する２箇所が湾曲凹部側から保持された状態で、これら保持部間の第３保持部に対応する１箇所が湾曲凸部側から湾曲凹部側に向けて押圧され、これによりフレキシブル基板における電気部品周辺の少なくとも３箇所が保持されることで、少なくともフレキシブル基板の電気部品の配設位置近傍の曲率が該電気部品に対応して配置される曲壁部の曲率よりも小さくなるため、フレキシブル基板に配設された電気部品の基板からの浮き上がりが防止される。
【００１０】
本発明の手段１に記載の遊技機は、請求項１に記載の遊技機であって、
前記電気部品（第１演出ＬＥＤ６１ａ，６１ｂ、配線側コネクタ６１ｄ）は前記フレキシブル基板（５１１ａ，５１１ｂ）の湾曲凹部側（内側）に配設され、
前記第３保持部（外リブ５８１ａ）は、前記フレキシブル基板における前記電気部品に対応する位置に配設される（図１９（ｂ）参照）、
ことを特徴としている。
この特徴によれば、凹部側の２つの保持部と凸部側の１つの保持部とにより、フレキシブル基板における電気部品周辺の少なくとも３箇所が保持されるため、構造を簡素化できるとともに、フレキシブル基板を保持部にて簡単に保持することができる。
【００１１】
本発明の手段２に記載の遊技機は、請求項１または手段１に記載の遊技機であって、
前記電気部品（第１演出ＬＥＤ６１ａ，６１ｂ、配線側コネクタ６１ｄ）は前記フレキシブル基板（５１１ａ，５１１ｂ）の湾曲凸部側（外側）に配設され、
前記第３保持部は、前記電気部品を挟んで前記フレキシブル基板の延設方向の両側で、かつ、前記一対の凹部側保持部（内リブ５８０Ａ，５８０Ｂ）間に配置される一対の第３保持部（外リブ５８１Ａ，５８１Ｂ）を備える（図２７参照）、
ことを特徴としている。
この特徴によれば、凹部側の２つの保持部と凸部側の２つの保持部とにより、フレキシブル基板における電気部品周辺の４箇所が保持されるため、構造を簡素化できるとともに、フレキシブル基板を保持部にて簡単に保持することができる。
【００１２】
本発明の手段３に記載の遊技機は、請求項１、手段１、手段２のいずれかに記載の遊技機であって、
前記第３保持部（外リブ５８１）は、前記第１保持部および第２保持部（内リブ５８０Ａ、５８０Ｂ）それぞれに対向して配置される一対の第３保持部（外リブ５８１Ａ，５８１Ｂ）を備え、
互いに対向する前記第３保持部と前記第１保持部との対向面および前記第３保持部と前記第２保持部との対向面は、前記フレキシブル基板の延設方向に延びる所定長さの平坦面（５８０Ｔ，５８１Ｔ）からなるとともに、全て略平行に配置されている（図２７参照）、
ことを特徴としている。
この特徴によれば、キシブル基板における電気部品の配設位置を直線状に保持することができるため、フレキシブル基板に配設された電気部品の基板からの浮き上がりが防止される。
【００１３】
本発明の手段４に記載の遊技機は、請求項１、手段１〜３のいずれかに記載の遊技機であって、
前記フレキシブル基板（５１１ａ，５１１ｂ）の一面に対向する第１曲壁部（スリット５７４の内面）と他面に対向する第２曲壁部（スリット５７４の内面）とにより該フレキシブル基板を収容可能な凹溝（スリット５７４）を有し、
前記第１保持部および第２保持部は、前記第１曲壁部および前記第２曲壁部のうち一方に連設される第１平坦状壁部からなり（図２８参照）、
前記第３保持部は、前記第１曲壁部および前記第２曲壁部のうち他方に連設される第２平坦状壁部からなる（図２８参照）、
ことを特徴としている。
この特徴によれば、凹溝にフレキシブル基板を収容するだけで、第１平坦状壁部と第２平坦状壁部とによりフレキシブル基板の電気部品の配設位置近傍の曲率が該電気部品に対応して配置される曲壁部の曲率よりも小さくなるため、フレキシブル基板に配設された電気部品の基板からの浮き上がりが防止される。
【００１４】
本発明の手段５に記載の遊技機は、請求項１、手段１〜４のいずれかに記載の遊技機であって、
前記フレキシブル基板（５１１ａ，５１１ｂ）は、メッキ処理（アルミメッキ処理）が施されたメッキ装飾部を有する構造物（昇降体５０２）に設けられ、
前記第１保持部、第２保持部（内リブ５８０ａ、５８０ｂ）および前記第３保持部（外リブ５８１ａ）は、前記構造物における非メッキ装飾部（枠状部５０３ａの内面）に一体的に形成されている、
ことを特徴としている。
この特徴によれば、メッキ装飾部によるアース作用にて構造物の帯電が防止されるとともに、メッキ装飾部はフレキシブル基板に施された導線に接触されないので、静電気等による電気部品の故障等が防止される。
【図面の簡単な説明】
【００１５】
【図１】パチンコ遊技機を示す正面図である。
【図２】パチンコ遊技機を示す背面図である。
【図３】主基板における回路構成の一例を示すブロック図である。
【図４】パチンコ遊技機を開放した状態を示す斜視図である。
【図５】遊技盤ユニットを示す分解斜視図である。
【図６】第１演出装置を右斜め前方から見た状態を示す斜視図である。
【図７】第１演出装置を右斜め後方から見た状態を示す斜視図である。
【図８】第１演出装置を示す右側面図である。
【図９】第１演出装置の回転体が回転した状態を示す正面図である。
【図１０】第１演出装置の構成を示す分解斜視図である。
【図１１】第１演出装置が上昇位置に位置している状態を示す内部構造図である。
【図１２】第１演出装置が下降位置に位置している状態を示す内部構造図である。
【図１３】（ａ）は図１１のＡ−Ａ断面図、（ｂ）は（ａ）のＫ−Ｋ断面図である。
【図１４】（ａ）は図１２のＢ−Ｂ断面図、（ｂ）は（ａ）のＫ’−Ｋ’断面図である。
【図１５】（ａ）は回動軸を示す斜視図であり、（ｂ）は（ａ）のＣ−Ｃ断面図、（ｃ）は（ａ）のＤ−Ｄ断面図、（ｄ）は（ａ）のＥ−Ｅ断面図、（ｅ）は（ａ）のＦ−Ｆ断面図である。
【図１６】図１３のＧ−Ｇ断面図である。
【図１７】（ａ）は図１３のＨ−Ｈ断面図であり、（ｂ）は回転体が９０度回転した状態、（ｃ）は回転体が１８０度回転した状態を示す断面図である。
【図１８】フレキシブル基板の配設状況を示す斜視図である。
【図１９】（ａ）はフレキシブル基板を配設した状態を示す正面図であり、（ｂ）は（ａ）の要部拡大図である。
【図２０】図１９（ａ）のＩ−Ｉ断面図、（ｂ）は図１９（ａ）のＪ−Ｊ断面図である。
【図２１】第２演出装置を右斜め前方から見た状態を示す斜視図である。
【図２２】第２演出装置を右斜め後方から見た状態を示す斜視図である。
【図２３】第２演出装置を示す右側面図である。
【図２４】第２演出装置の内部構造を示す分解斜視図である。
【図２５】図２１のＬ−Ｌ断面図である。
【図２６】（ａ）は回転体が通常位置に位置した状態を示す正面図であり、（ｂ）は回転体が回転位置に位置した状態を示す正面図である。
【図２７】フレキシブル基板を保持するリブの変形例１を示す図である。
【図２８】（ａ）はフレキシブル基板を保持するリブの変形例２を示す図であり、（ｂ）は（ａ）のＭ−Ｍ断面図である。
【図２９】（ａ）はフレキシブル基板を保持するリブの変形例３を示す図であり、（ｂ）は（ａ）のＮ−Ｎ断面図である。
【図３０】第１演出装置の駆動機構の変形例を示す図である。
【図３１】（ａ）〜（ｃ）は演出装置の変形例を示す概略図である。
【発明を実施するための形態】
【００１６】
本発明の実施例を図面に基づいて以下に説明する。
【実施例】
【００１７】
まず、遊技機の一例であるパチンコ遊技機１の全体の構成について説明する。図１は、パチンコ遊技機１を正面からみた正面図である。図２は、パチンコ遊技機を示す背面図である。図３は、主基板における回路構成の一例を示すブロック図である。図４は、パチンコ遊技機を開放した状態を示す斜視図である。図５は、遊技盤ユニットを示す分解斜視図である。
【００１８】
パチンコ遊技機１は、図１、図２及び図４に示すように、縦長の方形枠状に形成された外枠１００と、外枠１００に開閉可能に取り付けられた前面枠１０１と、で主に構成されている。前面枠１０１の前面には、ガラス扉枠１０２及び下扉枠１０３がそれぞれ左側辺を中心に開閉可能に設けられている。
【００１９】
下扉枠１０３の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠１０２の背面には、遊技盤６が前面枠１０１に対して着脱可能に取り付けられている。
【００２０】
遊技盤６は、図４に示すように、遊技領域７が前面に形成された合成樹脂製の盤面板２００と、所定の厚み幅寸法を有し、盤面板２００を取り付ける取付面が前面に設けられたスペーサ部材２５０と、から構成されている。また、遊技盤６の背面側には、後述する導光板ユニット７００や、演出表示装置９及び演出制御基板８０等を含む変動表示制御ユニット４９等の遊技に関連する遊技用部品が組み付けられる遊技用部品ユニット３００が一体的に組み付けられており、これら遊技盤６と遊技用部品ユニット３００とが一体的に組み付けられて遊技盤ユニット４００が構成される。
【００２１】
図４に示すように、遊技盤ユニット４００を前面枠１０１の前面に取り付けるには、遊技盤６の左端部を図中太矢印に示すように、前面枠１０１に形成された縦長長方形状の開口部１１５の左上下位置に設けられた係止凹部１１６ａ，１１６ｂに、遊技盤６の左端部を差し込んだ状態で、右端部を盤押え金具６９２，６９３で係止することにより取り付けられるようになっている。係止凹部１１６ａ，１１６ｂには後述する盤押えバネ６９０，６９１が設けられており、係止凹部１１６ａ，１１６ｂに係止された遊技盤６の前後のガタツキが防止されている。盤面板２００が取り付けられた状態において、該遊技盤６の背面に設けられた遊技用部品ユニット３００が開口部１１５を介して前面枠１０１の背面側に臨むようになっている。
【００２２】
遊技領域７の中央付近には、それぞれが演出用の飾り図柄（演出図柄）を可変表示する複数の可変表示部を含む演出表示装置（飾り図柄表示装置）９が設けられている。演出表示装置９には、例えば「左」、「中」、「右」の３つの可変表示部（図柄表示エリア）がある。演出表示装置９は、第１特別図柄表示器８ａまたは第２特別図柄表示器８ｂによる特別図柄の可変表示期間中に、装飾用（演出用）の図柄としての演出図柄の可変表示を行う。演出図柄の可変表示を行う演出表示装置９は、演出制御基板８０に搭載されている演出制御用マイクロコンピュータによって制御される。
【００２３】
遊技盤６における右側下部位置には、第１識別情報としての第１特別図柄を可変表示する第１特別図柄表示器（第１可変表示手段）８ａが設けられている。この実施例では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、第１特別図柄表示器８ａの上方位置には、第２識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００２４】
この実施例では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて００〜９９の数字（または、２桁の記号）を可変表示するように構成されていてもよい。
【００２５】
以下、第１特別図柄と第２特別図柄とを特別図柄と総称することがあり、第１特別図柄表示器８ａと第２特別図柄表示器８ｂとを特別図柄表示器と総称することがある。
【００２６】
第１特別図柄の可変表示は、可変表示の実行条件である第１始動条件が成立（例えば、遊技球が第１始動入賞口１３ａに入賞したこと）した後、可変表示の開始条件（例えば、保留記憶数が０でない場合であって、第１特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。また、第２特別図柄の可変表示は、可変表示の実行条件である第２始動条件が成立（例えば、遊技球が第２始動入賞口１３ｂに入賞したこと）した後、可変表示の開始条件（例えば、保留記憶数が０でない場合であって、第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００２７】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合せが停止表示される。
【００２８】
演出表示装置９の下方には、第１始動入賞口１３ａを有する入賞装置が設けられている。第１始動入賞口１３ａに入賞した遊技球は、遊技盤６の背面に導かれ、第１始動口スイッチ１４ａ（例えば、近接スイッチ）及び第１入賞確認スイッチ１４ｂ（例えば、フォトセンサ）によって検出される。
【００２９】
また、第１始動入賞口（第１始動口）１３ａを有する入賞装置の下側には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１５ａ（例えば、近接スイッチ）及び第２入賞確認スイッチ１５ｂ（例えば、フォトセンサ）によって検出される。可変入賞球装置１５は、ソレノイド１６によって開状態とされる。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。なお、可変入賞球装置１５が閉状態になっている状態において、入賞はしづらいものの、入賞することは可能である（すなわち、遊技球が入賞しにくい）ように構成されていてもよい。
【００３０】
また、第１始動口スイッチ１４ａと第１入賞確認スイッチ１４ｂの検出結果及び第２始動口スイッチ１５ａと第２入賞確認スイッチ１５ｂの検出結果にもとづいて異常入賞の発生の有無が判定され、異常入賞の発生を検出したことにもとづいてセキュリティ信号が外部出力される。
【００３１】
以下、第１始動入賞口１３ａと第２始動入賞口１３ｂとを総称して始動入賞口または始動口ということがある。
【００３２】
可変入賞球装置１５が開放状態に制御されているときには可変入賞球装置１５に向かう遊技球は第２始動入賞口１３ｂに極めて入賞しやすい。そして、第１始動入賞口１３ａは演出表示装置９の直下に設けられているが、演出表示装置９の下端と第１始動入賞口１３ａとの間の間隔をさらに狭めたり、第１始動入賞口１３ａの周辺で釘を密に配置したり、第１始動入賞口１３ａの周辺での釘配列を、遊技球を第１始動入賞口１３ａに導きづらくして、第２始動入賞口１３ｂの入賞率の方を第１始動入賞口１３ａの入賞率よりもより高くするようにしてもよい。
【００３３】
第２特別図柄表示器８ｂの上部には、第１始動入賞口１３ａに入った有効入賞球数すなわち第１保留記憶数（保留記憶を、始動記憶または始動入賞記憶ともいう。）を表示する第１特別図柄保留記憶表示部と、該第１特別図柄保留記憶表示部とは別個に設けられ、第２始動入賞口１３ｂに入った有効入賞球数すなわち第２保留記憶数を表示する第２特別図柄保留記憶表示部と、が設けられた例えば７セグメントＬＥＤからなる特別図柄保留記憶表示器１８が設けられている。第１特別図柄保留記憶表示部は、第１保留記憶数を入賞順に４個まで表示し、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、第２保留記憶数を入賞順に４個まで表示し、有効始動入賞がある毎に、点灯する表示器の数を１増やす。そして、第２特別図柄表示器８ｂでの可変表示が開始される毎に、点灯する表示器の数を１減らす。なお、この例では、第１始動入賞口１３ａへの入賞による始動記憶数及び第２始動入賞口１３ｂへの入賞による始動記憶数に上限数（４個まで）が設けられているが、上限数を４個以上にしてもよい。
【００３４】
また、演出表示装置９の表示画面には、第１保留記憶数を表示する第１保留記憶表示部（図示略）と、第２保留記憶数を表示する第２保留記憶表示部（図示略）とが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【００３５】
なお、この実施例では、図１に示すように、第２始動入賞口１３ｂに対してのみ開閉動作を行う可変入賞球装置１５が設けられているが、第１始動入賞口１３ａおよび第２始動入賞口１３ｂのいずれについても開閉動作を行う可変入賞球装置が設けられている構成であってもよい。
【００３６】
また、図１に示すように、可変入賞球装置１５の下方には、特別可変入賞球装置２０が設けられている。特別可変入賞球装置２０は大入賞口扉を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって大入賞口扉が開放状態に制御されることによって、入賞領域となる大入賞口が開放状態になる。大入賞口に入賞した遊技球はカウントスイッチ２３（例えば、近接スイッチ）及び第３入賞確認スイッチ２３ａ（例えば、フォトセンサ）で検出される。
【００３７】
カウントスイッチ２３によって遊技球が検出されたことに基づき、所定個数（例えば１５個）の遊技球が賞球として払い出される。こうして、特別可変入賞球装置２０において開放状態となった大入賞口を遊技球が通過（進入）したときには、例えば第１始動入賞口１３ａや第２始動入賞口１３ｂといった、他の入賞口を遊技球が通過（進入）したときよりも多くの賞球が払い出される。したがって、特別可変入賞球装置２０において大入賞口が開放状態となれば、遊技者にとって有利な第１状態となる。その一方で、特別可変入賞球装置２０において大入賞口が閉鎖状態となれば、大入賞口に遊技球を通過（進入）させて賞球を得ることができないため、遊技者にとって不利な第２状態となる。
【００３８】
第１特別図柄表示器８ａの右側には、普通図柄表示器１０が設けられている。普通図柄表示器１０は、例えば２つのランプからなる。遊技球がゲート３２を通過しゲートスイッチ３２ａで検出されると、普通図柄表示器１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０の下側のランプが点灯して当りである場合に、可変入賞球装置１５が所定回数、所定時間だけ開状態になる。すなわち、可変入賞球装置１５の状態は、下側のランプが点灯して当りである場合に、遊技者にとって不利な状態から有利な状態（第２始動入賞口１３ｂに遊技球が入賞可能な状態）に変化する。特別図柄保留記憶表示器１８の上部には、ゲート３２を通過した入賞球数を表示する４つの表示部（例えば、７セグメントＬＥＤのうち４つのセグメント）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
【００３９】
なお、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
【００４０】
特別可変入賞球装置２０の周辺には普通入賞装置の入賞口２９ａ〜２９ｄが設けられ、入賞口２９ａ，２９ｃに入賞した遊技球は入賞口スイッチ３０ａによって検出され、入賞口２９ｂ，２９ｄに入賞した遊技球は入賞口スイッチ３０ｂによって検出される。各入賞口２９ａ〜２９ｄは、遊技球を受け入れて入賞を許容する領域として遊技盤６に設けられる入賞領域を構成している。なお、第１始動入賞口１３ａ、第２始動入賞口１３ｂや大入賞口も、遊技球を受け入れて入賞を許容する入賞領域を構成する。
【００４１】
第１始動入賞口１３ａ内には、始動入賞口内に入賞した遊技球を検出可能な２つのスイッチ（第１始動口スイッチ１４ａと第１入賞確認スイッチ１４ｂ）が設けられている。この実施例では、第１始動入賞口１３ａ内で、第１始動口スイッチ１４ａと第１入賞確認スイッチ１４ｂとが上下に配置されている（本例では、第１始動口スイッチ１４ａが上側に配置され、第１入賞確認スイッチ１４ｂが下側に配置されている）。従って、この実施例では、第１始動入賞口１３ａ内に入賞した遊技球は、遊技盤６の背面に導かれ、まず第１始動口スイッチ１４ａで検出され、次いで第１入賞確認スイッチ１４ｂで検出される。
【００４２】
また、第２始動入賞口１３ｂ内には、始動入賞口内に入賞した遊技球を検出可能な２つのスイッチ（第２始動口スイッチ１５ａと第２入賞確認スイッチ１５ｂ）が設けられている。この実施例では、第２始動入賞口１３ｂ内で、第２始動口スイッチ１５ａと第２入賞確認スイッチ１５ｂとが上下に配置されている（本例では、第２始動口スイッチ１５ａが上側に配置され、第２入賞確認スイッチ１５ｂが下側に配置されている）。従って、この実施例では、第２始動入賞口１３ｂ内に入賞した遊技球は、遊技盤６の背面に導かれ、まず第２始動口スイッチ１５ａで検出され、次いで第２入賞確認スイッチ１５ｂで検出される。
【００４３】
また、大入賞口内には、大入賞口内に入賞した遊技球を検出可能な２つのスイッチ（カウントスイッチ２３と第３入賞確認スイッチ２３ａ）が設けられている。この実施例では、大入賞口内で、カウントスイッチ２３と第３入賞確認スイッチ２３ａとが配置されている（本例では、カウントスイッチ２３が上側に配置され、第３入賞確認スイッチ２３ａが下側に配置されている）。従って、この実施例では、大入賞口内に入賞した遊技球は、遊技盤６の背面に導かれ、まずカウントスイッチ２３で検出され、次いで第３入賞確認スイッチ２３ａで検出される。
【００４４】
また、第１始動口スイッチ１４ａと第１入賞確認スイッチ１４ｂ、第２始動口スイッチ１５ａと第２入賞確認スイッチ１５ｂ、カウントスイッチ２３と第３入賞確認スイッチ２３ａとして、それぞれ異なる検出方式のスイッチが用いられる。この実施例では、第１始動口スイッチ１４ａ、第２始動口スイッチ１５ａおよびカウントスイッチ２３として近接スイッチを用い、第１入賞確認スイッチ１４ｂ、第２入賞確認スイッチ１５ｂ、第３入賞確認スイッチ２３ａとしてフォトセンサを用いている。
【００４５】
また、第１始動口スイッチ１４ａによって遊技球が検出されたことにもとづいて、第１特別図柄の変動表示が開始され、賞球払出が実行される。また、第２始動口スイッチ１５ａによって遊技球が検出されたことにもとづいて、第２特別図柄の変動表示が開始され、賞球払出が実行される。また、カウントスイッチ２３によって遊技球が検出されたことにもとづいて、賞球払出が実行される。また、第１始動口スイッチ１４ａによる検出結果に加えて第１入賞確認スイッチ１４ｂの検出結果にもとづいて異常入賞の発生の有無が判定され、異常入賞の発生を検出したことにもとづいてセキュリティ信号が外部出力される。また、第２始動口スイッチ１５ａによる検出結果に加えて第２入賞確認スイッチ１５ｂの検出結果にもとづいて異常入賞の発生の有無が判定され、異常入賞の発生を検出したことにもとづいてセキュリティ信号が外部出力される。また、カウントスイッチ２３による検出結果に加えて第３入賞確認スイッチ２３ａの検出結果にもとづいて異常入賞の発生の有無が判定され、異常入賞の発生を検出したことにもとづいてセキュリティ信号が外部出力される。従って、第１入賞確認スイッチ１４ｂ、第２入賞確認スイッチ１５ｂ、第３入賞確認スイッチ２３ａは、異常入賞の判定のみに用いられる。
【００４６】
このように、第１始動口スイッチ１４ａ、第２始動口スイッチ１５ａ、カウントスイッチ２３は近接スイッチを用いて構成し、第１〜第３入賞確認スイッチ１４ｂ，１５ｂ，２３ａはフォトセンサを用いているが、第１始動口スイッチ１４ａと第１入賞確認スイッチ１４ｂ、第２始動口スイッチ１５ａと第２入賞確認スイッチ１５ｂ、カウントスイッチ２３と第３入賞確認スイッチ２３ａの検出方式はこの実施例で示したものにかぎらず、例えば、第１，２始動口スイッチ１４ａ，１５ａ及びカウントスイッチ２３と、第１〜３入賞確認スイッチ１４ｂ，１５ｂ，２３ａとで異なる検出方式であれば、逆に第１，２始動口スイッチ１４ａ，１５ａ及びカウントスイッチ２３としてフォトセンサを用い、第１〜３入賞確認スイッチ１４ｂ，１５ｂ，２３ａとして近接スイッチを用いてもよい。この場合、フォトセンサである第１，２始動口スイッチ１４ａ，１５ａ及びカウントスイッチ２３の検出結果にもとづいて特別図柄の変動表示や賞球払出処理が実行され、近接スイッチである第１〜３入賞確認スイッチ１４ｂ，１５ｂ，２３ａの検出結果は、第１始動入賞口１３ａ、第２始動入賞口１３ｂ、大入賞口の異常入賞の判定のみに用いられることになる。また、例えば、電磁式のスイッチである近接スイッチや光学式のフォトセンサに代えて、第１，２始動口スイッチ１４ａ，１５ａ及びカウントスイッチ２３または第１〜３入賞確認スイッチ１４ｂ，１５ｂ，２３ａとして、機械式のスイッチ（マイクロスイッチなど）を用いてもよい。
【００４７】
また、この実施例では、特別図柄の変動表示や賞球払出処理の実行の契機となる第１，２始動口スイッチ１４ａ，１５ａ、カウントスイッチ２３は、異常入賞の判定に用いられる第１〜３入賞確認スイッチ１４ｂ，１５ｂ，２３ａよりも上流側に設けられていたが、異常入賞の判定に用いられるスイッチの下流側に設けてもよい。
【００４８】
そして遊技制御用マイクロコンピュータ１５６０は、第１始動口スイッチ１４ａ（近接スイッチ）から入力した検出信号と第１入賞確認スイッチ１４ｂ（フォトセンサ）から入力した検出信号とにもとづいて、第１始動口スイッチ１４ａにて検出された遊技球数と第１入賞確認スイッチ１４ｂにて検出された遊技球数との差が所定の閾値を超えた（本例では、１５以上となった）と判定すると、所定のエラーとして、第１始動入賞口１３ａへの異常入賞が発生したと判定する。また、第２始動口スイッチ１５ａ（近接スイッチ）から入力した検出信号と第２入賞確認スイッチ１５ｂ（フォトセンサ）から入力した検出信号とにもとづいて、第２始動口スイッチ１５ａにて検出された遊技球数と第２入賞確認スイッチ１５ｂにて検出された遊技球数との差が所定の閾値を超えた（本例では、１５以上となった）と判定すると、所定のエラーとして、第２始動入賞口１３ｂへの異常入賞が発生したと判定する。また、カウントスイッチ２３（近接スイッチ）から入力した検出信号と第３入賞確認スイッチ２３ａ（フォトセンサ）から入力した検出信号とにもとづいて、カウントスイッチ２３にて検出された遊技球数と第３入賞確認スイッチ２３ａにて検出された遊技球数との差が所定の閾値を超えた（本例では、５以上となった）と判定すると、所定のエラーとして、大入賞口への異常入賞が発生したと判定する。
【００４９】
このように、第１始動口スイッチ１４ａと第１入賞確認スイッチ１４ｂ、第２始動口スイッチ１５ａと第２入賞確認スイッチ１５ｂ、カウントスイッチ２３と第３入賞確認スイッチ２３ａと、を互いに異なる検出方式のセンサ（本例では、近接スイッチとフォトセンサ）により構成していることで、例えば電磁波などを用いて第１始動入賞口１３ａ、第２始動入賞口１３ｂ、大入賞口への入賞数が実際の入賞数よりも多くなるように認識させるような不正行為が行われた場合に、近接スイッチにて検出された遊技球数とフォトスイッチにて検出された遊技球数とに差が生じ、遊技制御用マイクロコンピュータ１５６０はこの差球数が所定の閾値を超えた場合に異常入賞が発生したと判定するため、確実な不正行為対策を講ずることができる。
【００５０】
遊技領域７には、遊技状態に応じて発光する複数の装飾ＬＥＤ２５ａを有する装飾部材２５Ｌ，２５Ｒが設けられ、下部には、入賞しなかった遊技球を回収するアウト口２６がある。
【００５１】
装飾部材２５Ｌ，２５Ｒは、遊技盤６の前面側から配設される部材であって、左側の装飾部材２５Ｌは、遊技領域７における左側下部位置に配置されている。一方、右側の装飾部材２５Ｒは、遊技領域７における演出表示装置９を含む中央から右側の広範囲を覆うように形成された枠状の部材であって、遊技領域７の右側の周壁との間に遊技球が１球ずつ通過可能な球通路が形成されるように設けられている。このように遊技領域７における装飾部材２５Ｌ，２５Ｒの配設領域は遊技球が通過されない領域とされている。
【００５２】
また、盤面板２００および導光板ユニット７００における装飾部材２５Ｒに囲まれた領域には開口部２０１，７００ａがそれぞれ前後に貫通して形成されており、導光板ユニット７００の背面側に配設される演出表示装置９や、装飾体３０１の前面側に配設される第１演出装置５００および第２演出装置６００が、開口部を介して盤面板２００の前面側に臨むように設けられている。なお、第１演出装置５００および第２演出装置６００の詳細な構造については後述するが、駆動源としてのモータにより、遊技状態に応じて所定の演出動作を行うことが可能に構成されている。
【００５３】
遊技領域７の外側の左右上下部には、効果音を発する４つのスピーカ２７が設けられている。遊技領域７の外周には、天枠ＬＥＤ２８ａ、左枠ＬＥＤ２８ｂおよび右枠ＬＥＤ２８ｃが設けられている。天枠ＬＥＤ２８ａ、左枠ＬＥＤ２８ｂおよび右枠ＬＥＤ２８ｃおよび装飾ＬＥＤ２５ａは、遊技機に設けられている装飾発光体の一例である。
【００５４】
図１および図２では、図示を省略しているが、左枠ＬＥＤ２８ｂの近傍に、賞球払出中に点灯する賞球ランプが設けられ、天枠ＬＥＤ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。さらに、特に図示はしないが、プリペイドカードが挿入されることによって球貸しを可能にするプリペイドカードユニット（以下、「カードユニット」という。）５０が、パチンコ遊技機１に隣接して設置されている。
【００５５】
遊技者の操作により打球発射装置から発射された遊技球は、打球レールを通って遊技領域７に入り、その後、遊技領域７を下りてくる。遊技球が第１始動入賞口１３ａに入り第１始動口スイッチ１４ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３ａへの入賞に対応する。第１特別図柄の可変表示を開始できる状態でなければ、第１保留記憶数が上限値に達していないことを条件として、第１保留記憶数を１増やす。
【００５６】
遊技球が第２始動入賞口１３ｂに入り第２始動口スイッチ１５ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１３ｂへの入賞に対応する。第２特別図柄の可変表示を開始できる状態でなければ、第２保留記憶数が上限値に達していないことを条件として、第２保留記憶数を１増やす。
【００５７】
第１特別図柄表示器８ａにおける第１特別図柄の可変表示及び第２特別図柄表示器８ｂにおける第２特別図柄の可変表示は、一定時間が経過したときに停止する。停止時の特別図柄（停止図柄）が大当り図柄（特定表示結果）であると「大当り」となり、停止時の特別図柄（停止図柄）が大当り図柄とは異なる所定の小当り図柄（所定表示結果）であると「小当り」となり、停止時の特別図柄（停止図柄）が大当り図柄及び小当り図柄とは異なる特別図柄が停止表示されれば「ハズレ」となる。
【００５８】
特図ゲームでの可変表示結果が「大当り」になった後には、遊技者にとって有利なラウンド（「ラウンド遊技」ともいう）を所定回数実行する特定遊技状態としての大当り遊技状態に制御される。また、特図ゲームでの可変表示結果が「小当り」になった後には、大当り遊技状態とは異なる小当り遊技状態に制御される。
【００５９】
この実施例では、特図ゲームにおける確定特別図柄が「非確変」または「確変Ａ」に対応する大当り図柄が停止表示された場合には、多ラウンド特定遊技状態としての第１大当り状態（１５ラウンド大当り状態）に移行する。大当り遊技状態（通常１５ラウンド大当り状態）では、特別可変入賞球装置２０の大入賞口扉が、第１期間となる所定期間（例えば２９．５秒間）あるいは所定個数（例えば８個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。１５ラウンド大当り状態では、大入賞口の開放サイクルであるラウンドの実行回数が、第１ラウンド数（例えば「１５」）となる。ラウンドの実行回数が「１５」となる１５ラウンド大当り状態における遊技は、１５回開放遊技とも称される。このような１５ラウンド大当り状態では、大入賞口に遊技球が入賞するたびに１５個の出玉（賞球）が得られる。なお、１５ラウンド大当り状態は、第１特定遊技状態ともいう。
【００６０】
特図ゲームにおける確定特別図柄として「確変Ｂ」に対応する大当り図柄が停止表示された場合には、多ラウンド特定遊技状態としての第２大当り状態（高速１５ラウンド大当り状態）に移行する。第２大当り状態では、特別可変入賞球装置２０の大入賞口扉が、第１大当り状態における第１期間よりも短い第２期間（例えば０．５秒間）あるいは所定個数（例えば３個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。第２大当り状態では、大入賞口の開放サイクルであるラウンドの実行回数が、第２ラウンド数（例えば「１５」）となる。
【００６１】
このような第２大当り状態では、大入賞口に遊技球が入賞すれば１５個の出玉（賞球）が得られるが、大入賞口の開放期間が第２期間（０．５秒間）であって、非常に短い。そのため、第２大当り状態は実質的には出玉（賞球）が得られない大当り遊技状態である。なお、第２大当り状態は第２特定遊技状態ともいう。また、第２大当り状態は、第１大当り状態に比べてラウンドの実行回数が少ないものであってもよい。すなわち、第２大当り状態は、各ラウンドで大入賞口を開放状態に変化させる期間が第１大当り状態における第１期間よりも短い第２期間となることと、ラウンドの実行回数が第１大当り状態における第１ラウンド数よりも少ない第２ラウンド数となることのうち、少なくともいずれか一方となるものであってもよい。
【００６２】
また、「非確変」に対応する大当り図柄が特図ゲームにおける確定特別図柄として停止表示されたことに基づき第１大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回）の特図ゲームが実行されることと、可変表示結果が「大当り」となることのうち、いずれかの条件が先に成立したときに、終了すればよい。このように「非確変」に対応する大当り図柄特別図柄のように、特図ゲームにおける確定特別図柄として停止表示されたことに基づく第１大当り状態が終了した後に時短状態に制御される大当り図柄は、非確変大当り図柄（「通常大当り図柄」ともいう）と称される。また、大当り図柄のうち非確変大当り図柄が停止表示されて可変表示結果が「大当り」となることは、「非確変大当り」（「通常大当り」ともいう）と称される。
【００６３】
「確変Ａ」に対応する大当り図柄が特図ゲームにおける確定特別図柄として停止表示されたことに基づき第１大当り状態が終了した後や、確変状態において「確変Ｂ」に対応する大当り図柄が特図ゲームにおける確定特別図柄として停止表示されたことに基づき第２大当り状態が終了した後には、時短状態とは異なる特別遊技状態の１つとして、例えば通常状態に比べて特図変動時間が短縮される時短制御とともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続する。
【００６４】
こうした「確変Ａ」に対応する大当り図柄のように、特図ゲームにおける確定特別図柄として停止表示されたことに基づく第１大当り状態が終了した後に確変状態に制御される大当り図柄は、確変大当り図柄と称される。また、「確変Ｂ」に対応する大当り図柄のように、特図ゲームにおける確定特別図柄として停止表示されたことに基づく大当り遊技状態が終了した後に確変状態に制御される大当り図柄は、突確大当り図柄と称される。また、大当り図柄のうち確変大当り図柄が停止表示されて可変表示結果が「大当り」となることは、「確変大当り」と称される。突確大当り図柄が停止表示されて可変表示結果が「大当り」となることは、「突確大当り」（「突確大当り」ともいう）と称される。なお、これら大当り図柄は任意であり、例えば、遊技者に大当り図柄であることや、大当り種別を認識されないようにするために、大当り図柄を数字とせずに予め定められた記号等にしてもよい。
【００６５】
「小当り」に対応する特別図柄が特図ゲームにおける確定特別図柄として停止表示された後には、小当り遊技状態に制御される。この小当り遊技状態では、第２大当り状態と同様に特別可変入賞球装置２０において大入賞口を遊技者にとって有利な第１状態（開放状態）に変化させる可変入賞動作が行われる。すなわち、小当り遊技状態では、例えば特別可変入賞球装置２０を第２期間にわたり第１状態（開放状態）とする動作が、第２回数｛第２ラウンド数に等しい実行回数（本例では、１５回）｝に達するまで繰り返し実行される。なお、小当り遊技状態では、第２大当り状態と同様に、特別可変入賞球装置２０を第１状態とする期間が第２期間となることと、第１状態とする動作の実行回数が第２回数となることのうち、少なくともいずれか一方が行われるように制御されればよい。小当り遊技状態が終了した後には、遊技状態の変更が行われず、可変表示結果が「小当り」となる以前の遊技状態に継続して制御されることになる。ただし、可変表示結果が「小当り」となる特図ゲームが実行されたときに、特別遊技状態における特図ゲームの実行回数が所定回数に達していれば、小当り遊技状態の終了後には、特別遊技状態が終了して通常状態となることがある。可変入賞動作により特別可変入賞球装置２０を第１状態とする回数が「１５」である小当り遊技状態における遊技は、第２大当り状態における遊技と同様に、１５回開放遊技とも称される。なお、第２大当り状態における各ラウンドで特別可変入賞球装置２０とは別個に設けられた入賞球装置を第１状態に変化させる場合には、小当り遊技状態でも、第２大当り状態と同様の態様で、その入賞球装置を第１状態に変化させるようにすればよい。
【００６６】
確変状態や時短状態では、普通図柄表示器１０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく可変入賞球装置１５における可動翼片の傾動制御を行う傾動制御時間を通常状態のときよりも長くする制御、その傾動回数を通常状態のときよりも増加させる制御といった、遊技球が第２始動入賞口１３ｂを通過（進入）しやすくして第２始動条件が成立する可能性を高めることで遊技者にとって有利となる制御が行われる。なお、確変状態や時短状態では、これらの制御のいずれか１つが行われるようにしてもよいし、複数の制御が組み合せられて行われるようにしてもよい。このように、確変状態や時短状態において第２始動入賞口１３ｂに遊技球が進入しやすくして遊技者にとって有利となる制御は、高開放制御ともいう。高開放制御が行われることにより、第２始動入賞口１３ｂは、高開放制御が行われていないときよりも拡大開放状態となる頻度が高められる。これにより、第２特別図柄表示器８ｂにおける第２特図を用いた特図ゲームを実行するための第２始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。また、高開放制御期間であるときには、遊技状態が高ベース中であるともいう。これに対して、高開放制御期間でないときには、遊技状態が低ベース中であるともいう。この実施例における時短状態は、低確高ベース状態とも称される遊技状態であり、通常状態は、低確低ベース状態とも称される遊技状態であり、高開放制御期間ではない確変状態である潜伏確変状態は高確低ベース状態とも称される遊技状態である。
【００６７】
また、この実施例では、通常状態において「確変Ｂ」に対応する「突確大当り」となったことに基づく第２大当り状態の終了後には、確変制御のみが行われて時短制御や高開放制御が行われない第２確変制御（潜伏確変状態）へ移行する。また、確変状態において「突確大当り」となったことに基づく第２大当り状態の終了後には、確変制御とともに時短制御や高開放制御が行われる第１確変状態へ移行する。
【００６８】
このように確変状態のうちには、確変制御とともに時短制御や高開放制御が行われるものの他に、確変制御のみが行われて時短制御や高開放制御が行われないもの（潜伏確変）が含まれていてもよい。また、例えば、特図ゲームにける可変表示結果が「確変大当り」となったことに基づく第１大当り状態の終了後には、確変制御とともに時短制御や高開放制御が行われる第１確変状態（高確高ベース状態ともいう）に制御され、その後、特図表示結果が「大当り」となることなく、特図ゲームの実行回数が所定回数（例えば７０回）に達したときには、確変制御は継続して行われるものの、時短制御や高開放制御が終了して行われなくなる第２確変状態（高確低ベース状態ともいう）に制御されるようにしてもよい。
【００６９】
また、この実施例では、確変状態であるときに特図ゲームにおける可変表示結果が「突確大当り」となったことに基づく第２大当り状態の終了後には第２確変状態（潜伏確変状態）へと移行するようになっていたが、確変状態だけでなく、時短状態であるときに特図ゲームにおける可変表示結果が「突確大当り」となったことに基づく第２大当り状態の終了後にも第１確変状態へと移行するようにしてもよい。あるいは、「確変大当り」に基づく第１大当り状態の終了後には、再び特図表示結果が「大当り」となるまで第１確変状態に制御される一方、「突確大当り」に基づく第２大当り状態の終了後には、第１確変状態に移行して、特図表示結果が「大当り」となることなく特図ゲームの実行回数が所定回数に達したときに第２確変状態へと移行するようにしてもよい。時短制御と高開放制御は、それらの開始と終了が同時に（連動して）行われる一方で、確変制御の開始と終了は、時短制御や高開放制御の開始や終了と必ずしも連動するものでなくてもよい。
【００７０】
演出表示装置９に設けられた「左」、「中」、「右」の飾り図柄表示エリアでは、第１特別図柄表示器８ａにおける第１特図を用いた特図ゲームと、第２特別図柄表示器８ｂにおける第２特図を用いた特図ゲームとのうち、いずれかの特図ゲームが開始されることに対応して、飾り図柄の可変表示（変動表示）が開始される。そして、飾り図柄の可変表示が開始されてから「左」、「中」、「右」の各飾り図柄表示エリアにおける確定飾り図柄の停止表示により可変表示が終了するまでの期間では、飾り図柄の可変表示状態が所定のリーチ状態となることがある。ここで、リーチ状態とは、演出表示装置９の表示領域にて仮停止表示された飾り図柄が大当り組み合せの一部を構成しているときに未だ仮停止表示もされていない飾り図柄（「リーチ変動図柄」ともいう）については変動が継続している表示状態、あるいは、全部又は一部の飾り図柄が大当り組み合せの全部又は一部を構成しながら同期して変動している表示状態のことである。具体的には、「左」、「中」、「右」の飾り図柄表示エリアにおける一部（例えば「左」及び「右」の飾り図柄表示エリアなど）では予め定められた大当り組み合せを構成する飾り図柄（例えば「７」の英数字を示す飾り図柄）が仮停止表示されているときに未だ仮停止表示もしていない残りの飾り図柄表示エリア（例えば「中」の飾り図柄表示エリアなど）では飾り図柄が変動している表示状態、あるいは、「左」、「中」、「右」の飾り図柄表示エリアにおける全部又は一部で飾り図柄が大当り組み合せの全部又は一部を構成しながら同期して変動している表示状態である。
【００７１】
次に、パチンコ遊技機１の背面の構造について図２を参照して説明する。図２は、遊技機を背面から見た背面図である。図２に示すように、パチンコ遊技機１の背面側では、演出表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声制御基板７０、ランプドライバ基板３５、および球払出制御を行なう払出制御用マイクロコンピュータ等が搭載された払出制御基板３７等の各種基板が設置されている。なお、遊技制御基板３１は基板収納ケース９００に収納されている。
【００７２】
さらに、パチンコ遊技機１背面側には、ＤＣ３０Ｖ、ＤＣ２１Ｖ、ＤＣ１２ＶおよびＤＣ５Ｖ等の各種電源電圧を作成する電源回路が搭載された電源基板９９０やタッチセンサ基板（図示略）が設けられている。電源基板９９０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチ、遊技制御基板３１の遊技制御用マイクロコンピュータ１５６０のＲＡＭ５５をクリアするためのクリアスイッチが設けられている。さらに、電源スイッチの内側（基板内部側）には、交換可能なヒューズが設けられている。
【００７３】
なお、この実施例では、主基板３１は遊技盤側に設けられ、払出制御基板３７は遊技枠側に設けられている。このような構成であっても、後述するように、主基板３１と払出制御基板３７との間の通信をシリアル通信で行うことによって、遊技盤を交換する際の配線の取り回しを容易にしている。
【００７４】
なお、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤなどの発光体、スピーカ２７等）を制御する。以下、主基板３１を制御基板に含めて説明を行うことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板をサブ基板ということがある。なお、球払出装置９７は、遊技球を誘導する通路とステッピングモータ等により駆動されるスプロケット等によって誘導された遊技球を上皿や下皿に払い出すための装置であって、払い出された賞球や貸し球をカウントする払出個数カウントスイッチ等もユニットの一部として構成されている。なお、この実施例では、払出検出手段は、払出個数カウントスイッチによって実現され、球払出装置９７から実際に賞球や貸し球が払い出されたことを検出する機能を備える。この場合、払出個数カウントスイッチは、賞球や貸し球の払い出しを１球検出するごとに検出信号を出力する。
【００７５】
パチンコ遊技機１の背面には、各種情報をパチンコ遊技機１の外部に出力するための各端子を備えたターミナル基板１６０が設置されている。ターミナル基板１６０には、例えば、大当り遊技状態の発生を示す大当り情報等の情報出力信号（始動口信号、図柄確定回数１信号、大当り１信号、大当り２信号、大当り３信号、時短信号、セキュリティ信号、賞球信号１、遊技機エラー状態信号）を外部出力するための情報出力端子が設けられている。なお、遊技機エラー状態信号に関しては必ずしもパチンコ遊技機１の外部に出力しなくてもよく、該情報出力端子から、この遊技機エラー状態信号の替わりに遊技枠が開放状態であることを示すドア開放信号等を出力するようにしてもよい。
【００７６】
貯留タンク３８に貯留された遊技球は誘導レールを通り、カーブ樋を経て払出ケース４０Ａで覆われた球払出装置９７に至る。球払出装置９７の上方には、遊技媒体切れ検出手段としての球切れスイッチ１８７が設けられている。球切れスイッチ１８７が球切れを検出すると、球払出装置９７の払出動作が停止する。球切れスイッチ１８７が遊技球の不足を検知すると、遊技機設置島に設けられている補給機構からパチンコ遊技機１に対して遊技球の補給が行なわれる。
【００７７】
入賞にもとづく景品としての遊技球や球貸し要求にもとづく遊技球が多数払出されて打球供給皿３が満杯になると、遊技球は、余剰球誘導通路を経て余剰球受皿４に導かれる。さらに遊技球が払出されると、感知レバー（図示略）が貯留状態検出手段としての満タンスイッチ（図示略）を押圧して、貯留状態検出手段としての満タンスイッチがオンする。その状態では、球払出装置内の払出モータの回転が停止して球払出装置の動作が停止するとともに打球発射装置の駆動も停止する。
【００７８】
図３は、主基板（遊技制御基板）３１における回路構成の一例を示すブロック図である。なお、図３には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ１５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施例では、ＲＯＭ５４およびＲＡＭ５５は遊技制御用マイクロコンピュータ１５６０に内蔵されている。すなわち、遊技制御用マイクロコンピュータ１５６０は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ１５６には、さらに、ハードウェア乱数（ハードウェア回路が発生する乱数）を発生する乱数回路５３が内蔵されている。
【００７９】
なお、遊技制御用マイクロコンピュータ１５６０においてＣＰＵ５６がＲＯＭ５４に格納されているプログラムに従って制御を実行するので、以下、遊技制御用マイクロコンピュータ１５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００８０】
また、遊技制御用マイクロコンピュータ１５６０には、乱数回路５３が内蔵されている。乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００８１】
乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００８２】
乱数回路５３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００８３】
また、遊技制御用マイクロコンピュータ１５６０は、乱数回路５３が更新する数値データの初期値を設定する機能を有している。例えば、ＲＯＭ５４等の所定の記憶領域に記憶された遊技制御用マイクロコンピュータ１５６０のＩＤナンバ（遊技制御用マイクロコンピュータ１５６０の各製品ごとに異なる数値で付与されたＩＤナンバ）を用いて所定の演算を行なって得られた数値データを、乱数回路５３が更新する数値データの初期値として設定する。そのような処理を行うことによって、乱数回路５３が発生する乱数のランダム性をより向上させることができる。
【００８４】
遊技制御用マイクロコンピュータ１５６０は、第１始動口スイッチ１４ａまたは第２始動口スイッチ１５ａへの始動入賞が生じたときに乱数回路５３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００８５】
また、遊技制御用マイクロコンピュータ１５６０には、払出制御基板３７（の払出制御用マイクロコンピュータ）や演出制御基板８０（の演出制御用マイクロコンピュータ）とシリアル通信で信号を入出力（送受信）するためのシリアル通信回路５２が内蔵されている。なお、払出制御用マイクロコンピュータや演出制御用マイクロコンピュータにも、遊技制御用マイクロコンピュータ１５６０とシリアル通信で信号を入出力するためのシリアル通信回路が内蔵されている（図示略）。
【００８６】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや保留記憶数カウンタの値など）と未払出賞球数を示すデータ（具体的には、後述する賞球コマンド出力カウンタの値）は、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施例では、ＲＡＭ５５の全部が、電源バックアップされているとする。
【００８７】
遊技制御用マイクロコンピュータ１５６０のリセット端子には、電源基板からのリセット信号が入力される。電源基板には、遊技制御用マイクロコンピュータ１５６０等に供給されるリセット信号を生成するリセット回路が搭載されている。なお、リセット信号がハイレベルになると遊技制御用マイクロコンピュータ１５６０等は動作可能状態になり、リセット信号がローレベルになると遊技制御用マイクロコンピュータ１５６０等は動作停止状態になる。従って、リセット信号がハイレベルである期間は、遊技制御用マイクロコンピュータ１５６０等の動作を許容する許容信号が出力されていることになり、リセット信号がローレベルである期間は、遊技制御用マイクロコンピュータ１５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００８８】
さらに、遊技制御用マイクロコンピュータ１５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。なお、電源監視回路を電源基板に搭載するのではなく、バックアップ電源によって電源バックアップされる基板（例えば、主基板３１）に搭載するようにしてもよい。また、遊技制御用マイクロコンピュータ１５６０の入力ポートには、ＲＡＭの内容をクリアすることを指示するためのクリアスイッチが操作されたことを示すクリア信号が入力される。
【００８９】
また、ゲートスイッチ３２ａ、第１始動口スイッチ１４ａ、第１入賞確認スイッチ１４ｂ、第２始動口スイッチ１５ａ、第２入賞確認スイッチ１５ｂ、カウントスイッチ２３、第３入賞確認スイッチ２３ａおよび各入賞口スイッチ３０ａ，３０ｂや、第１演出装置５００に設けられる第１回動センサ９０、昇降センサ９１や第２演出装置６００に設けられる第２回動センサ９２からの検出信号を基本回路に与える入力ドライバ回路５８も主基板３１に搭載され、可変入賞球装置１５を開閉するソレノイド１６、特別可変入賞球装置２０を開閉するソレノイド２１、第１演出装置５００を回転駆動する第１回動モータ９５および昇降駆動する昇降モータ９６、第２演出装置６００を回転駆動する第２回動モータ９７を基本回路からの指令に従って駆動する出力回路５９も主基板３１に搭載され、電源投入時に遊技制御用マイクロコンピュータ１５６０をリセットするためのシステムリセット回路（図示せず）や、大当り遊技状態の発生を示す大当り情報等の情報出力信号を、ターミナル基板１６０を介して、ホールコンピュータ等の外部装置に対して出力する情報出力回路６４も主基板３１に搭載されている。
【００９０】
この実施例では、演出制御基板８０に搭載されている演出制御手段（演出制御用マイクロコンピュータで構成される。）が、中継基板７７を介して遊技制御用マイクロコンピュータ１５６から演出内容を指示する演出制御コマンドを受信し、演出図柄を可変表示する演出表示装置９との表示制御を行う。
【００９１】
演出制御基板８０は、演出制御用ＣＰＵおよびＲＡＭを含む演出制御用マイクロコンピュータ（図示略）を搭載している。なお、ＲＡＭは外付けであってもよい。演出制御基板８０において、演出制御用ＣＰＵ（図示略）は、内蔵または外付けのＲＯＭ（図示略）に格納されたプログラムに従って動作し、中継基板７７を介して入力される主基板３１からの取込信号（演出制御ＩＮＴ信号）に応じて、入力ドライバおよび入力ポートを介して演出制御コマンドを受信する。また、演出制御用ＣＰＵ（図示略）は、演出制御コマンドにもとづいて、ＶＤＰ（ビデオディスプレイプロセッサ）に演出表示装置９の表示制御を行わせる。
【００９２】
演出制御用ＣＰＵ（図示略）は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ（図示略）は、キャラクタＲＯＭから読み出したデータをＶＤＰに出力する。ＶＤＰは、演出制御用ＣＰＵから入力されたデータにもとづいて表示制御を実行する。
【００９３】
演出制御コマンドおよび演出制御ＩＮＴ信号は、演出制御基板８０において、まず、入力ドライバに入力する。入力ドライバは、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００９４】
中継基板７７には、主基板３１から入力された信号を演出制御基板８０に向かう方向にしか通過させない（演出制御基板８０から中継基板７７への方向には信号を通過させない）信号方向規制手段としての単方向性回路（図示略）が搭載されている。単方向性回路として、例えばダイオードやトランジスタが使用される。さらに、単方向性回路であるＩ／Ｏポート部を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ１５６側）に入り込まない。
【００９５】
さらに、演出制御用ＣＰＵ（図示略）は、出力ポート（図示略）を介してランプドライバ基板３５に対してＬＥＤを駆動する信号を出力する。また、演出制御用ＣＰＵは、出力ポートを介して音声制御基板７０に対して音番号データを出力する。
【００９６】
ランプドライバ基板３５において、ＬＥＤを駆動する信号は、入力ドライバ（図示略）を介してＬＥＤドライバに入力される。ＬＥＤドライバは、駆動信号を天枠ＬＥＤ２８ａ、左枠ＬＥＤ２８ｂ、右枠ＬＥＤ２８ｃなど枠側に設けられている各ＬＥＤや、導光板ＬＥＤ６０、第１演出ＬＥＤ６１ａ〜６１ｃ、第２演出ＬＥＤ６２など導光板ユニット７００や装飾体３０１などに設けられている各ＬＥＤに供給する。また、遊技盤側に設けられている装飾ＬＥＤ２５ａに駆動信号を供給する。なお、ＬＥＤ以外の発光体が設けられている場合には、それを駆動する駆動回路（ドライバ）がランプドライバ基板３５に搭載される。
【００９７】
音声制御基板７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ２７に出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
【００９８】
図５に示すように、遊技盤ユニット４００は、遊技盤６と、該遊技盤６の背面側に配置される導光板ユニット７００と、該導光板ユニット７００の背面側に配置され、遊技盤６を背面側から装飾する装飾体３０１と、該装飾体３０１を遊技盤６に対して取り付けるためのカバー体３０２と、装飾体３０１の背面に取り付けられ、演出表示装置９及び演出制御基板８０等を含む変動表示制御ユニット４９と、から主に構成されている。
【００９９】
装飾体３０１は、後述するように透明に形成される遊技盤６の遊技領域７を背面側から装飾する立体状に形成された装飾体であり、前後方向に所定幅の板厚を有している。装飾体３０１の前面は、特に詳細な図示はしないが、非平坦面状に形成され、奥行き感のある装飾部が形成されているとともに、第１演出装置５００および第２演出装置６００が設けられている。
【０１００】
また、遊技盤６側に設けられる各種表示装置（例えば第１特別図柄表示器８ａ、第２特別図柄表示器８ｂ等）、駆動手段（ソレノイド１６，２１等）、ＬＥＤ、各種スイッチ（例えばゲートスイッチ３２ａ、第１始動口スイッチ１４ａ、第２始動口スイッチ１５ａ、カウントスイッチ２３等）から延出される配線は、遊技盤６の背面と装飾体３０１の前面との間から側方に引き出されるため、これら配線は、装飾部と同色または同系色に着色され、これにより配線が目立たないようにしている。
【０１０１】
また、装飾体３０１の略中央位置には、背面側に配設される演出表示装置９の表示面を視認可能とするための開口部３０３が形成されているとともに、その周辺には、遊技領域７に配設される各種入賞口（例えば第１始動入賞口１３ａや第２始動入賞口１３ｂ等）に入賞した遊技球を背面側に排出するための遊技球排出口（図示略）が複数形成されている。
【０１０２】
なお、本実施例の装飾体３０１は、所定板厚を有する一つの板状体にて構成されていたが、形状は種々に変形可能であるとともに、それぞれ個別に形成された複数の装飾部材から構成されていてもよい。
【０１０３】
カバー体３０２は、透明な合成樹脂材からなり、前面が開口する箱状に形成された本体部３１１内に、装飾体３０１を前面側から収容可能に形成されている。本体部３１１の前面開口の周縁部からは、遊技盤６に取り付けるためのフランジ片３１０が外向きに形成されており、該フランジ片３１０の前面側には、遊技盤６に対する当該カバー体３０２の取付位置を決定するための複数の位置決め用ボス３１２ａ〜３１２ｄ（３１２ｄは図示略）が前面側に向けて突設されているとともに、遊技盤６に当該カバー体３０２を取り付けるための取付ネジ３１３が取り付けられる取付穴３１４が複数箇所に形成されている。
【０１０４】
本体部３１１の背板３１１ａには、当該背板３１１ａの背面側に組み付けられる演出表示装置９の表示面を視認可能とするための開口部３１５が形成されている。演出表示装置９を含む変動表示制御ユニット４９は、背板３１１ａの背面側から演出表示装置９の表示面を開口部３１５に臨ませるように背板３１１ａの背面に取り付けられる。なお、変動表示制御ユニット４９は、装飾体３０１の背面に直接取り付けてもよい。
【０１０５】
カバー体３０２には、これら装飾体３０１、変動表示制御ユニット４９だけでなく、他の装置や基板等が組み付け可能とされており、カバー体３０２及び該カバー体３０２に一体的に組み付けられる装飾体３０１、変動表示制御ユニット４９等を含む遊技に関連する複数の遊技用部品により、遊技用部品ユニット３００が構成される。このように構成される遊技用部品ユニット３００は、遊技盤６に対して着脱可能に取り付けられ、複数の機種に共通して使用される機種共通部品であるカバー体３０２に、機種固有の装飾体３０１や変動表示制御ユニット４９等の各種遊技用部品を着脱可能に組み付けることができるため、遊技盤６の背面側に配設される複数の遊技用部品を、カバー体３０２を取り付けるだけで一度に配設することができるばかりか、機種変更やメンテナンスの際には、カバー体３０２から機種固有の装飾体や遊技用部品を取り外すことができるため、作業性が向上する。
【０１０６】
次に、本実施例の第１演出装置５００の詳細な構造について、図６〜図２０にもとづいて説明する。図６は、第１演出装置を右斜め前方から見た状態を示す斜視図である。図７は、第１演出装置を右斜め後方から見た状態を示す斜視図である。図８は、第１演出装置を示す右側面図である。図９は、第１演出装置の回転体が回転した状態を示す正面図である。図１０は、第１演出装置の構成を示す分解斜視図である。図１１は、第１演出装置が上昇位置に位置している状態を示す内部構造図である。図１２は、第１演出装置が下降位置に位置している状態を示す内部構造図である。図１３は、（ａ）は図１１のＡ−Ａ断面図、（ｂ）は（ａ）のＫ−Ｋ断面図である。図１４は、（ａ）は図１２のＢ−Ｂ断面図、（ｂ）は（ａ）のＫ’−Ｋ’断面図である。図１５は、（ａ）は回動軸を示す斜視図であり、（ｂ）は（ａ）のＣ−Ｃ断面図、（ｃ）は（ａ）のＤ−Ｄ断面図、（ｄ）は（ａ）のＥ−Ｅ断面図、（ｅ）は（ａ）のＦ−Ｆ断面図である。図１６は、図１３のＧ−Ｇ断面図である。図１７は、（ａ）は図１３のＨ−Ｈ断面図であり、（ｂ）は回転体が９０度回転した状態、（ｃ）は回転体が１８０度回転した状態を示す断面図である。図１８は、フレキシブル基板の配設状況を示す斜視図である。図１９は、（ａ）はフレキシブル基板を配設した状態を示す正面図であり、（ｂ）は（ａ）の要部拡大図である。図２０は、図１９（ａ）のＩ−Ｉ断面図、（ｂ）は図１９（ａ）のＪ−Ｊ断面図である。
【０１０７】
図６〜図９に示すように、第１演出装置５００は、前述した装飾体３０１の所定箇所（本実施例では、演出表示装置９の右側方位置）に固定されるベース体５０１と、該ベース体５０１に対して上下方向に昇降可能に支持された昇降体５０２と、から主に構成されている。昇降体５０２は、ハート枠形状に形成された枠状部５０３ａおよび該枠状部５０３ａの下部から下方に延設される棒状部５０３ｂにより鍵型に形成された枠体５０３と、枠状部５０３ａ内に上下方向を向く軸心周りに回動可能に支持された正面視ハート形状をなす中空立体形状の回転体５０４と、から構成されている。ベース体５０１には、昇降体５０２を昇降させるステッピングモータからなる昇降モータ９６や、回転体５０４を回転させる第１回動モータ９５（図９参照）等が設けられている。
【０１０８】
また、枠体５０３の外面には複数の装飾部が形成されているとともに、枠状部５０３ａの内部には、複数の第１演出ＬＥＤ６１ａ，６１ｂが回転体５０４に向けて光を照射可能に配設されており、後述するように、これら第１演出ＬＥＤ６１ａ，６１ｂを発光させることにより回転体５０４を内部から発光できるようになっている。また、棒状部５０３ｂの前面下部は鍵の差込部を模した発光部５０５が形成されており、内蔵された第１演出ＬＥＤ６１ｃ（図１０参照）により発光するようになっている。
【０１０９】
図１０に示すように、昇降体５０２は、枠体５０３の前面側を構成する前枠部材５１０ａおよび後面側を構成する後枠部材５１０ｂと、前枠部材５１０ａにおける枠状部５０３ａ内に背面側から装着され、一面に第１演出ＬＥＤ６１ａ、基板側コネクタ６１ｄが配設された左フレキシブル基板５１１ａおよび一面に第１演出ＬＥＤ６１ｂ、基板側コネクタ６１ｄが配設された右フレキシブル基板５１１ｂと、棒状部５０３ｂ内に軸心周りに回動可能に支持される上下方向を向く回動軸５１２および棒状部５０３ｂ中央上部内に軸心周りに回動可能に支持される上部回動軸５１３を有する回転体５０４と、枠状部５０３ａの内面に沿って配置される透光性を有する帯状の保護シート５１４ａ，５１４ｂと、から主に構成されている。
【０１１０】
前枠部材５１０ａおよび後枠部材５１０ｂは、それぞれ枠状部５０３ａが断面略コ字形に形成されるとともに、棒状部５０３ｂが断面略半円形に形成されており、互いに開放する対向面同士をつき合わせて組み付けることにより、枠状部５０３ａが四角筒状、棒状部５０３ｂが円筒状に形成される。四角筒状の枠状部５０３ａの内部には左右のフレキシブル基板５１１ａ，５１１ｂが配設され、円筒状の棒状部５０３ｂの内部には回動軸５１２および上部回動軸５１３が回動可能に収納される。
【０１１１】
前枠部材５１０ａおよび後枠部材５１０ｂの表面には、内面を除いて導電性を有するアルミメッキが蒸着または液付けにて施されている。このように、前枠部材５１０ａおよび後枠部材５１０ｂの内面にマスク処理を施した状態で外面にアルミメッキ処理が施されることで、合成樹脂材からなる枠体５０３の帯電が抑制され、静電気等によりＬＥＤやモータが故障することが防止される。なお、後述するフレキシブル基板５１１ａ，５１１ｂが配設される枠状部５０３ａの内面にアルミメッキ処理が施されないことで、メッキ処理部がプリント配線と接触することがないので、静電気によりＬＥＤが故障することが防止される。
【０１１２】
なお、本実施例では、前枠部材５１０ａおよび後枠部材５１０ｂの表面には内面を除いてアルミメッキ処理が施されていたが、例えば非導電性の錫メッキ処理等を施す場合には、内面にマスク等を行わずに前枠部材５１０ａおよび後枠部材５１０ｂの表面全体にメッキ処理を施すことができるため、メッキ処理作業が容易になる。
【０１１３】
前枠部材５１０ａにおける発光部５０５の背面側には、複数の第１演出ＬＥＤ６１ｃが前面側に配設されたＬＥＤ基板５１５が組み付けられる。また、回動軸５１２の下端は、前枠部材５１０ａの下部に背面側から組み付けられる前軸受部材５１６ａと、後枠部材５１０ｂの下部に前面側から組み付けられる後軸受部材５１６ｂと、からなる下部軸受５１６により回動可能に軸支される。
【０１１４】
ベース体５０１は、第１回動モータ９５が組み付けられる回動ベース５２０と、昇降モータ９６が組み付けられる昇降ベース５２１と、から構成されている。回動ベース５２０は、下面側に第１回動モータ９５が組み付けられるとともに、上面側に第１回動モータ９５の駆動軸９５ａに固着される駆動ギヤ５２５と該駆動ギヤ５２５に噛合する第１従動ギヤ５２６と該第１従動ギヤ５２６に噛合する第２従動ギヤ５２７とが設けられた水平なベース板５２８と、ベース板５２８の下面から下方に向けて垂下され、上下方向を向く第１ガイド溝５２９が形成された下ガイド板５３０と、ベース板５２８の上面から上方に向けて垂設され、上下方向を向く第２ガイド溝５３１が形成された上ガイド板５３２と、からなる。なお、第１従動ギヤ５２６および第２従動ギヤ５２７の前面側にはギヤの逸脱を防止するカバー板５３３が取り付けられる。また、第１回動モータ９５の駆動軸９５ａを含め各ギヤの回動軸心は全て前後方向を向いている。
【０１１５】
昇降ベース５２１は、上ガイド板５３２の背面側に複数のネジ５３４により取り付けられる取付板５３５と、該取付板５３５の背面側に固定される昇降モータ９６と、取付板５３５を貫通して前面側に突出する駆動軸９６ａの先端に固着される回転盤５３６と、から主に構成されている。回転盤５３６の周縁所定箇所には、前方に向けて突出する円柱状のガイドピン５３７が突設され、回転盤５３６の回転により前後方向を向く駆動軸９６ａを中心として回転するようになっている。
【０１１６】
また、回転盤５３６の外周に形成されたフランジ部５３６ａにおける前記ガイドピン５３７に対応する位置には、取付板５３５の上部に取り付けられる昇降センサ９１により検出される検出用切欠部５３８が形成されている。本実施例においては、ガイドピン５３７が上方位置に位置しているときに昇降センサ９１により検出用切欠部５３８が検出され、該検出用切欠部５３８が検出される検出位置が初期位置（基準位置）とされている。
【０１１７】
回動ベース５２０と昇降ベース５２１との間には、ガイドピン５３７の直径よりも若干長寸の上下幅寸法を有するとともに、ガイドピン５３７の左右方向の移動幅寸法（駆動軸９６ａを中心にガイドピン５３７が回転する円の直径）よりも若干長寸の左右幅寸法を有する左右方向に延びる昇降溝５３９が形成され、後枠部材５１０ｂに固定される昇降板５４０が配置される。詳しくは、後枠部材５１０ｂの棒状部５０３ｂの背面上部には、直方体形状をなすガイド部５４１が形成されているとともに、該ガイド部５４１の背面には、第２ガイド溝５３１に挿通されるガイド凸部５４１ａ，５４１ｂが上下位置に突設されており（図１３参照）、昇降板５４０は、第２ガイド溝５３１を挿通して背面側に突出されたガイド凸部５４１ａ，５４１ｂの先端にネジ５４２により取り付けられている。
【０１１８】
このように構成された回動ベース５２０と昇降ベース５２１とは、昇降板５４０を前後から上下動可能に挟んだ状態で上ガイド板５３２の背面側に取付板５３５をネジ５３４により止着することにより一体化されてベース体５０１を構成している。
【０１１９】
そして、図１３および図１４に示すように、昇降体５０２は、後枠部材５１０ｂの背面に設けられた上下一対のガイド凸部５４１ａ，５４１ｂを第２ガイド溝５３１に挿通して昇降板５４０にネジ５４２にて止着することにより、固定されたベース体５０１に対して昇降可能に支持される。なお、上下方向を向く直線状の第２ガイド溝５３１に、互いに離間して配置される上下一対のガイド凸部５４１ａ，５４１ｂが摺動可能に挿通されることで、ベース体５０１に対する昇降体５０２の左右方向の回転が規制されるとともに、後枠部材５１０ｂの下部に取り付けられた後軸受部材５１６ｂの下部に形成された前後方向を向くガイド突起５１６ｃが、上下方向に延びる直線状の第１ガイド溝５２９に摺動可能に嵌合されることにより、昇降体５０２の下部が上下方向にガイドされるため、昇降体５０２の下部の左右方向のぶれが効果的に抑制される。
【０１２０】
また、昇降体５０２がベース体５０１に対して昇降可能に支持された状態において、第１従動ギヤ５２６の上部および第２従動ギヤ５２７が、後枠部材５１０ｂの棒状部５０３ｂにおける上下方向の中央位置から下部位置にかけて形成された縦長の開口部５４３を介して棒状部５０３ｂの内部に臨むようになっており、この第２従動ギヤ５２７の中心位置に形成された挿通孔５２７ａに回動軸５１２が上側から挿通されている。
【０１２１】
次に、回転体５０４の下部から下方に向けて延設される回動軸５１２は、図１５に示すように、金属材からなる軸部５５０と、軸部５５０の上端を回転体５０４の下端に接続するための合成樹脂材からなる接続部５５１と、から構成されている。接続部５５１は、円柱状に形成され、外周面上部に第１回動センサ９０により検出される検出用切欠部５５２が形成された環状のフランジ部５５３が形成されている。また、上端面には、回転体５０４に対し相対回転不能に嵌合される嵌合凸部５５４が突設され、下端面には、軸部５５０の上端が相対回転不能に嵌合される嵌合穴５５５が前側に向けて延設されている。
【０１２２】
軸部５５０は、嵌合穴５５５に嵌合可能に断面視略Ｄ字形に形成された嵌合部５５０ａ（図１５（ｂ）参照）と、嵌合部５５０ａの下端から連設され断面視略円形に形成された円形部５５０ｂ（図１５（ｃ）参照）と、円形部５５０ｂの下端から連設され断面視略Ｄ字形に形成された摺動部５５０ｃ（図１５（ｄ）参照）と、摺動部５５０ｃの下端から連設され、下部軸受５１６に軸支される被軸受部５５０ｄ（図１５（ｅ）参照）と、から構成されている。なお、摺動部５５０ｃの断面形状は、挿通孔５２７ａを若干縮形した形状とされている。
【０１２３】
また、接続部５５１には、嵌合穴５５５の軸心に対し直交する貫通孔５５８が貫通して形成されており、該貫通孔５５８に固定ネジ５５６を挿入し、嵌合穴５５５に嵌合された嵌合部５５０ａに形成されたネジ穴５５７に螺入することにより、嵌合部５５０ａが接続部５５１に対して軸心周りに相対回転不能に固定されるようになっている。なお、貫通孔５５８は検出用切欠部５５２に対応する向きに形成されている。
【０１２４】
貫通孔５５８の一端部（初期位置において背面側の端部）には、固定ネジ５５６の頭部を収容するネジ用凹部５５８ａと、該ネジ用凹部５５８ａよりも大径をなし、後述するマグネット５６０を収容するマグネット収容凹部５５８ｂと、該マグネット収容凹部５５８ｂよりも大径をなし、マグネット５６０に吸着される金属材からなる被吸着部材５６１（図１９参照）が嵌合可能な嵌合凹部５５８ｃと、が形成されている。なお、嵌合凹部５５８ｃの周面は、外側に向けて漸次拡径するテーパ面にて構成されている。
【０１２５】
このように構成される軸部５５０は、金属材を押出し成型により円柱状に形成した後、断面視略Ｄ字形をなす嵌合部５５０ａ、摺動部５５０ｃと、直径が嵌合部５５０ａ、円形部５５０ｂ、摺動部５５０ｃよりも小径の被軸受部５５０ｄと、に切削加工を施すことにより一体形成されていることで、例えば射出成型等により成型する場合に比べて軸心の歪みやバリ等が生じにくいため、回転体５０４をがたつきなくスムーズに回動支持できる。
【０１２６】
摺動部５５０ｃは、第２従動ギヤ５２７に形成された挿通孔５２７ａと同じ断面視略Ｄ字形をなし、かつ、挿通孔５２７ａよりも僅かに縮小された大きさをなしているため、第２従動ギヤ５２７に対して軸心方向（上下方向）に摺動可能、かつ、軸心周りに相対回動不能に挿通されている。
【０１２７】
また、被軸受部５５０ｄの直径が他の嵌合部５５０ａ、円形部５５０ｂ、摺動部５５０ｃよりも小径とされていることで、下部軸受５１６に軸支された被軸受部５５０ｄが軸心周りに回動された際に発生する摩擦が低減されるようになっている。
【０１２８】
このように構成された回動軸５１２と上部回動軸５１３とは、互いに同一の軸心をなすように上下に配置され、図１３および図１４に示すように、前枠部材５１０ａと後枠部材５１０ｂとにより枠状部５０３ａの上部中央に形成された上部軸受５６５に上部回動軸５１３が軸支され、下部軸受５１６に回動軸５１２の被軸受部５５０ｄが軸支されることにより、回転体５０４が、枠体５０３に対して上下方向を向く回動軸５１２、上部回動軸５１３の軸心周りに回動可能に支持される。
【０１２９】
また、回動軸５１２、上部回動軸５１３が軸心周りに回動可能に支持された状態において、回動軸５１２の摺動部５５０ｃは第２従動ギヤ５２７の挿通孔５２７ａ内に挿通されている。詳しくは、図１６に示すように、摺動部５５０ｃの断面形状は、外形が非円形である断面略Ｄ形状の挿通孔５２７ａの縮小形状とされているため、回動軸５１２の摺動部５５０ｃは、挿通孔５２７ａ内に軸心方向に摺動可能、かつ、軸心周りに相対回動不能に挿通されている。よって、昇降モータ９６によりベース体５０１に対して昇降体５０２が昇降する際に、第２従動ギヤ５２７に対して回動軸５１２が軸心方向に摺動するとともに、第１回動モータ９５によりベース体５０１に対して回動軸５１２が第２従動ギヤ５２７を介して軸心周りに回動される。
【０１３０】
次に、昇降体５０２の昇降動作状況について説明する。
【０１３１】
ベース体５０１に対して昇降可能に支持された昇降体５０２は、図１１および図１３に示す上昇位置と、図１２および図１４に示す下降位置と、の間で上下方向に移動可能にベース体５０１に支持されている。そして、通常時においては上昇位置に位置しており、遊技状況に応じて、上昇位置から下降したり下降位置から上昇したりする演出動作を行うようになっている。
【０１３２】
図１３に示すように、昇降体５０２が上昇位置に位置している状態では、昇降モータ９６の駆動軸９６ａに固着された回転盤５３６のガイドピン５３７は、回転盤５３６の上部に位置するとともに、昇降溝５３９における左右方向の中央に位置するため、昇降溝５３９を有する昇降板５４０に止着された上下一対のうち上方のガイド凸部５４１ａが第２ガイド溝５３１の上端に位置する。
【０１３３】
また、この上昇位置において、検出用切欠部５３８が昇降センサ９１により検出される検出位置に位置しているため、上昇位置が昇降動作の初期位置（基準位置）とされているが、下降位置を昇降動作の初期位置としてもよい。
【０１３４】
上昇位置において、昇降モータ９６により回転盤５３６が例えば正面から見て時計回りに回転されると、ガイドピン５３７が駆動軸９６ａを中心とする円弧に沿って下方に向けて移動する。このとき、上下一対のガイド凸部５４１ａ，５４１ｂが第２ガイド溝５３１により上下方向に案内されることで、昇降溝５３９に嵌合されたガイドピン５３７が左右方向に移動しても昇降板５４０は上下方向にのみ移動する。
【０１３５】
また、昇降溝５３９は、ガイドピン５３７を通過する駆動軸９６ａの同心円の直径よりも長寸の長手幅寸法を有していることで、回転盤５３６の回転に伴うガイドピン５３７の左右方向の移動が許容される。よって、昇降溝５３９内に摺動可能に嵌合されたガイドピン５３７が下降することで、昇降板５４０を介して昇降体５０２が下降される。
【０１３６】
そして、図１４に示すように、上昇位置から回転盤５３６が１８０度時計回りに回転することにより、昇降体５０２は下降位置に位置する。この下降位置において、ガイドピン５３７は回転盤５３６の下部に位置するとともに、昇降溝５３９における左右方向の中央に位置することで、昇降溝５３９を有する昇降板５４０に止着された上下一対のうち下方のガイド凸部５４１ｂが第２ガイド溝５３１の下端に位置する。
【０１３７】
なお、本実施例では、昇降体５０２が上昇位置から下降位置まで下降することにより、昇降体５０２の棒状部５０３ｂの下部に形成された鍵溝形状の発光部５０５が、装飾体３０１に設けられた鍵穴（図１参照）に差し込まれるような演出になる。
【０１３８】
また、本実施例では、昇降モータ９６としてステッピングモータを使用しているとともに、演出制御用マイクロコンピュータは、上昇位置（初期位置）を基準とし、該上昇位置からのステップ数にて回転盤５３６の回転角度を特定する。よって、例えば上昇位置から回転盤５３６を１８０度回転させたときに回転を停止する制御を行うことで、昇降体５０２を下降位置に停止させるようになっている。
【０１３９】
また、回転盤５３６がさらに１８０度時計回りに回転することにより、昇降体５０２が上昇位置まで上昇する。なお、昇降体５０２を上昇させる際には、回転盤５３６を反時計回りに逆回転させてもよい。
【０１４０】
次に、昇降体５０２における回転体５０４の回動動作状況について説明する。
【０１４１】
回転体５０４は、透光性を有する合成樹脂材にて中空状に形成され、枠体５０３に対して、棒状部５０３ｂ内に支持された回動軸５１２および上部回動軸５１３の軸心周りに回動可能に支持されている。具体的には、回転体５０４は、同じく透光性を有する合成樹脂材にて形成された装飾部材５０４ｄが取り付けられていない非装飾面５０４ａ（図６参照）と、装飾部材５０４ｄが取り付けられた装飾面５０４ｂ（図７参照）と、帯状の側周面５０４ｃ（図９参照）と、を有している。
【０１４２】
図２０（ｂ）に示すように、回転体５０４は、外面は複数の平坦面からなる多面体とされ、内面は凹凸形状をなす光拡散面とされているが、外面の一部を構成する側周面５０４ｃおよび該側周面５０４ｃに対応する内面は帯状の平坦面にて構成されている。つまり、側周面５０４ｃは、後述するように第１演出ＬＥＤ６１ａ，６１ｂからの光を内部に導光する導光部を構成しているとともに、非装飾面５０４ａおよび装飾面５０４ｂは、導光部から内部に入射した光を反射して外部に出射する反射面を構成している。
【０１４３】
そして、非装飾面５０４ａが前面側、装飾面５０４ｂが背面側、側周面５０４ｃが枠状部５０３ａの内面との対向位置に配置される通常位置、および非装飾面５０４ａが背面側、装飾面５０４ｂが前面側、側周面５０４ｃが枠状部５０３ａの内面との対向位置に配置される回転位置において停止可能、かつ、通常位置から回動し、回転位置を通過して３６０度回転可能とされている。
【０１４４】
図１７（ａ）に示すように、回転体５０４が通常位置に位置している状態では、フランジ部５５３に形成された検出用切欠部５５２が、背面側の第１回動センサ９０により検出される検出位置に位置するようになっているため、通常位置が回動動作の初期位置（基準位置）とされているが、回転位置を回動動作の初期位置としてもよい。
【０１４５】
前枠部材５１０ａの内面には、接続部５５１に設けられたマグネット５６０に吸着可能な被吸着部材５６１が、左右一対のコイルバネ５６２の付勢力により接続部５５１に対して離間する方向に退避する退避位置Ｂ（図１７（ａ）参照）と、左右一対のコイルバネ５６２の付勢力に抗して接続部５５１に向けて突出する突出位置Ｆ（図１７（ｃ）参照）と、の間で移動可能に設けられている。
【０１４６】
被吸着部材５６１は、マグネット５６０の磁力により吸引される金属材により、吸着面の外周に環状のテーパ面を有してなる円筒形状に形成されてなり、マグネット５６０に吸着される。コイルバネ５６２は、マグネット５６０が被吸着部材５６１の対向位置に停止するときには、該マグネット５６０の磁力に負けて被吸着部材５６１の突出位置Ｆへの移動を許容し、マグネット５６０が被吸着部材５６１の対向位置を通過するときには、該マグネット５６０の磁力に抗して被吸着部材５６１の突出位置Ｆへの移動を規制する程度の付勢力を有している。
【０１４７】
よって、回転体５０４が通常位置に位置している場合、被吸着部材５６１は、コイルバネ５６２の付勢力により退避位置Ｂに位置している（図１７（ａ）参照）。この退避位置Ｂにおいて、被吸着部材５６１は接続部５５１の表面に対して僅かに離間して接触していないため、回動軸５１２の回動に摩擦による抵抗がかかることがない。
【０１４８】
次いで、第１回動モータ９５により駆動ギヤ５２５が回動すると、第１従動ギヤ５２６、第２従動ギヤ５２７を介して回動軸５１２が回動され（図１６参照）、これにより回転体５０４が回転する（図１７（ｂ）参照）。
【０１４９】
本実施例では、第１回動モータ９５としてステッピングモータを使用しているとともに、演出制御用マイクロコンピュータは、通常位置（初期位置）を基準とし、該通常位置からのステップ数にて回動軸５１２の回転角度を特定する。よって、例えば通常位置から回動軸５１２を１８０度回転させたときに回転を停止する制御を行うことで、回転体５０４を回転位置に停止させるようになっている。なお、この回転位置において第１回動モータ９５の励磁を解除してもよい。
【０１５０】
また、回動軸５１２がさらに１８０度時計回りに回転することにより、回転体５０４が通常位置まで回転する。なお、回転体５０４を反時計回りに逆回転させて通常位置に戻してもよい。
【０１５１】
そして、回転体５０４が回転位置に位置したときに、マグネット５６０が被吸着部材５６１の対向位置に配置される。これにより、被吸着部材５６１がマグネット５６０の磁力によりコイルバネ５６２の付勢力に抗して吸引されて突出位置Ｆに向けて移動し、マグネット５６０に吸着される。これにより回動軸５１２が枠体５０３に保持されるため、演出制御用マイクロコンピュータが回動軸５１２をステップ数に基づいて１８０度回転させた位置にて駆動を停止したときに、ステップ数のずれや、各種ギヤのバックラッシュ（遊び）により位置ずれが生じることがあっても、回転体５０４を常に回転位置に位置決めすることができる。
【０１５２】
また、被吸着部材５６１がマグネット５６０に吸着されて被吸着部材５６１が嵌合凹部５５８ｃに嵌合されることで、被吸着部材５６１と嵌合凹部５５８ｃとの嵌合作用によって回動軸５１２が正確に位置決めされるので、回転位置における回転体５０４の位置ずれが防止される。
【０１５３】
また、嵌合凹部５５８ｃの周面は、外側に向けて漸次拡径するテーパ面にて構成され、被吸着部材５６１における吸着面の外周には環状のテーパ面が形成されていることで、双方のテーパ面により嵌合凹部５５８ｃに対する被吸着部材５６１の求心作用が働くため、位置決めの精度が高められる。
【０１５４】
なお、本実施例では、マグネット５６０に吸引される被吸引部材として金属材からなる被吸着部材が適用されていたが、マグネット５６０の磁力により吸引される磁性体であれば、材質は任意に変更可能である。また、接続部５５１側に被吸着部材５６１を配置し、前枠部材５１０ａ側にマグネット５６０を配置してもよいし、あるいは、被吸着部材としてマグネットを適用してもよい。
【０１５５】
また、本実施例では、吸引手段の一例として永久磁石を適用しているため、低コストで回転体５０４の位置決めを行うことができるようになっているが、電磁石を適用してもよい。この場合、例えば被吸着部材５６１のように、機械的にマグネット５６０に対して接触、非接触させなくても、電磁石へ供給する電力を調節することにより同じような効果を得ることができる。具体的には、例えば、回転体５０４が回転位置に位置しているときだけ電磁石に電力を供給すれば（電源ｏｎ）、被吸着部材を吸引することができるため、回転体５０４を回転位置に位置決めできる。また、回転体５０４を回転させたり、通常位置に位置させる場合、電磁石に電力を供給しない（電源ｏｆｆ）または供給する電力を小さくすれば、被吸着部材に対する吸引作用が働かないため、回転体５０４に磁力による影響を与えずにスムーズに回転させることができる。
【０１５６】
次に、前枠部材５１０ａの枠状部５０３ａの詳細な構造について説明する。
【０１５７】
図１８〜図２０に示すように、前枠部材５１０ａの枠状部５０３ａは、内周壁５７０と外周壁５７１と底壁５７２とにより、正面視略ハート型をなすとともに、背面側が開放する断面視略コ字形の凹溝状に形成されている。内周壁５７０には、第１演出ＬＥＤ６１ａ、６１ｂからの光を枠内に投光させるための投光部５７３が、長手方向に向けて複数箇所（本例では１０箇所）に形成されている。各投光部５７３は、内周壁５７０の上端から下方に向けて略半円形状に切欠形成されている。
【０１５８】
枠状部５０３ａの内部には、フレキシブル基板５１１ａ，５１１ｂを内側から保持する複数の内リブ５８０および外側から保持する複数の外リブ５８１が所定間隔おきに配設されている。
【０１５９】
詳しくは、内リブ５８０は、内周壁５７０とほぼ同一高さをなし、底壁５７２の上面に対して略垂直に立設されており、各投光部５７３の両側方にそれぞれ配設される一対の内リブ５８０ａ，５８０ｂからなる。一方、外リブ５８１は、外周壁５７１とほぼ同一高さをなし、底壁５７２の上面に対して略垂直に立設され、一対の内リブ５８０ａ，５８０ｂ間に配置される外リブ５８１ａと、一対の内リブ５８０ａ，５８０ｂよりも外側に配置される一対の外リブ５８１ｂ，５８１ｃと、から構成される。つまり、一の第１演出ＬＥＤ６１ａ，６１ｂに対応して、一対の内リブ５８０ａ，５８０ｂと、外リブ５８１ａおよび一対の外リブ５８１ｂ，５８１ｃとが互いに平行をなすように配設されている。
【０１６０】
また、図２０に示すように、底壁５７２の底面幅寸法Ｌ４から内リブ５８０の内周壁５７０からの突出長さ寸法Ｌ１と外リブ５８１（外リブ５８１ａは除く）の外周壁５７１からの突出長さ寸法Ｌ２との合算寸法を減算した幅寸法Ｌ３は、フレキシブル基板５１１ａ，５１１ｂの厚み幅寸法とほぼ同寸とされている｛Ｌ３＝Ｌ４−（Ｌ１＋Ｌ２）｝。また、これら内リブ５８０の内辺５８０Ｔと外リブ５８１の内辺５８０Ｔとは、内周壁５７０および外周壁５７１の内面に対して略平行をなす所定長さ（フレキシブル基板５１１ａ，５１１ｂの幅寸法の約半分）の直線にて構成されている。
【０１６１】
なお、内リブ５８０および外リブ５８１の上端辺には、幅方向の中央に向けて下方に傾斜する傾斜辺５８３，５８３が形成され、これら双方の傾斜辺５８３，５８３によりフレキシブル基板５１１ａ，５１１ｂを上方から差し込みやすくなっている。
【０１６２】
一方、フレキシブル基板５１１ａ，５１１ｂは、細長帯状に形成されてなり、内面に複数の第１演出ＬＥＤ６１ａ，６１ｂが所定間隔おきに配置されているとともに、一端には、フレキシブル基板５１１ａ，５１１ｂを演出制御基板８０に接続するためのケーブル（図示略）の一端に設けられた配線側コネクタが接続される基板側コネクタ６１ｄが設けられている。
【０１６３】
なお、フレキシブル基板５１１ａ，５１１ｂは、例えばフィルム状の絶縁体（ベースフィルム）の上に接着層を形成し、その上に導体箔を形成してなり、一般的なリジット基板に比較して肉薄に形成され、柔軟性（可撓性）を有し変形可能に形成されている。
【０１６４】
図１８に示すように、フレキシブル基板５１１ａ，５１１ｂは、第１演出ＬＥＤ６１ａ，６１ｂが内側を向く縦向き姿勢にして内周壁５７０および外周壁５７１に沿って湾曲させるとともに、各第１演出ＬＥＤ６１ａ，６１ｂを各投光部５７３に対応させた状態で、内リブ５８０の内辺５８０Ｔと外リブ５８１の内辺５８１Ｔとの間に背面側から差し込むことで、図１９（ａ）に示すように、内周壁５７０および外周壁５７１に沿って湾曲した状態で配設されるとともに、各第１演出ＬＥＤ６１ａ，６１ｂが各投光部７３５に対向して配置される。
【０１６５】
内周壁５７０および外周壁５７１は、互いに平行に配設されるため、対向位置における曲率は同一とされている。これに対しフレキシブル基板５１１ａ，５１１ｂは、内リブ５８０と外リブ５８１とにより、これら内周壁５７０および外周壁５７１の内面に沿って配設されるが、第１演出ＬＥＤ６１ａ，６１ｂの近傍位置においては、内周壁５７０および外周壁５７１の内面の曲率Ｒ１よりも、対応するフレキシブル基板５１１ａ，５１１ｂの曲率Ｒ２が小さくなる（Ｒ１＞Ｒ２）。すなわち、曲がりが緩やかになる。
【０１６６】
具体的には、図１９（ｂ）に示すように、外リブ５８１ａにおける外周壁５７１からの突出長さＬ５は、他の外リブ５８１ｂ，５８１ｃの突出長さＬ２よりも若干長寸とされているとともに、第１演出ＬＥＤ６１ａ，６１ｂの反対側に配置される。したがって、外リブ５８１ａの内辺５８１Ｔにより、フレキシブル基板５１１ａ，５１１ｂの外面における一対の内リブ５８０ａ，５８０ｂ間が内側に向けて押圧されるため、内リブ５８０ａ，５８０ｂ間に配置されるフレキシブル基板５１１ａ，５１１ｂの曲率Ｒ２が、対応する内周壁５７０および外周壁５７１の内面の曲率Ｒ１よりも小さくなる。すなわち、ほぼ直線状に配設されるようになる。
【０１６７】
そして、フレキシブル基板５１１ａ，５１１ｂにおいて、第１演出ＬＥＤ６１ａ，６１ｂが配設されていない位置、つまり一対の内リブ５８０ａ，５８０ｂ間以外の箇所の曲率Ｒ３は、曲率Ｒ２よりも大きい（Ｒ３＞Ｒ２）。したがって、曲率Ｒ１を小さくする分、曲率Ｒ３で大きくして結果として曲率Ｒ２に納まるようにしている。
【０１６８】
このようにすることで、フレキシブル基板５１１ａ，５１１ｂを内周壁５７０および外周壁５７１の内面に沿って湾曲状に配設する場合においても、少なくとも第１演出ＬＥＤ６１ａ，６１ｂの周辺、つまり内リブ５８０ａ，５８０ｂ間のフレキシブル基板５１１ａ，５１１ｂの曲率Ｒ２が、当該内リブ５８０ａ，５８０ｂ間の内周壁５７０および外周壁５７１の内面の曲率Ｒ１よりも小さくなることで、フレキシブル基板５１１ａ，５１１ｂに半田等により配設された第１演出ＬＥＤ６１ａ，６１ｂが、湾曲したフレキシブル基板５１１ａ，５１１ｂの内面から浮き上がって断線が生じることが防止される。
【０１６９】
また、第１演出ＬＥＤ６１ａ，６１ｂは、内リブ５８０ａ，５８０ｂ間の略中央位置に配置され、外リブ５８１ａは、第１演出ＬＥＤ６１ａ，６１ｂの反対側、つまり内リブ５８０ａ，５８０ｂ間の略中央位置に配置されていることで、内リブ５８０ａ，５８０ｂ間の曲率を全体的に偏りなく略均一に小さくすることができるため、第１演出ＬＥＤ６１ａ，６１ｂの姿勢が変化して照射方向が変わってしまうことが防止される。
【０１７０】
フレキシブル基板５１１ａ，５１１ｂが枠状部５０３ａ内に配設されると、各第１演出ＬＥＤ６１ａ，６１ｂは、各投光部５７３に対向配置されるので、枠状部５０３ａの内部に配置される回転体５０４に向けて光を照射可能となる。
【０１７１】
図２０（ｂ）に示すように、例えば回転体５０４が回転位置に位置しているとき、装飾面５０４ｂが前面側に向けて配置されるとともに、側周面５０４ｃは各投光部５７３に対向して配置されるため、第１演出ＬＥＤ６１ａ，６１ｂからの光は、保護シート５１４ａ，５１４ｂを透過して投光部５７３から導光部としての側周面５０４ｃに照射される。側周面５０４ｃに照射された光の一部は回転体を構成する透光性部材を透過して回転体５０４の内部空間に出射され、部材内面に形成された凹凸面により乱反射されて外部に出射され、回転体５０４が発光する。
【０１７２】
以上説明したように、第１演出装置５００にあっては、昇降モータ９６により昇降体５０２を上昇位置と下降位置との間で上下移動させることが可能であるとともに、第１回動モータ９５により回転体５０４を上下方向を向く回動軸５１２および上部回動軸５１３の軸心周りに回転させることができるようになっている。よって、例えば演出表示装置９においてリーチが成立したときに、回転体５０４を３６０度回転させる演出動作を行わせたり、スーパーリーチに発展するときに、昇降体５０２を下降位置に下降させて発光部５０５を鍵穴に挿入させるとともに、回転体５０４を１８０度反転させて装飾面５０４ｂを前面側に配置させて、第１演出ＬＥＤ６１ａ〜６１ｃにより回転体５０４および発光部５０５を発光させるといった演出動作を行わせて、大当りに対する遊技者の期待感を高めること等が可能となる。
【０１７３】
また、昇降モータ９６による昇降体５０２の昇降動作と、第１回動モータ９５による回転体５０４の回転動作と、はそれぞれ別個に行われるようにすることが好ましい。例えば、昇降モータ９６により昇降体５０２を駆動する場合、第１回動モータ９５による回転体５０４の駆動を停止すれば、回動による抵抗が昇降モータ９６にかかることがないので、昇降モータ９６の負荷が軽減される。一方、第１回動モータ９５により回転体５０４を駆動する場合、昇降モータ９６による昇降体５０２の駆動を停止すれば、昇降による抵抗が第１回動モータ９５にかかることがないので、第１回動モータ９５の負荷が軽減される。
【０１７４】
次に、本実施例の第２演出装置６００の詳細な構造について、図２１〜図２６にもとづいて説明する。図２１は、第２演出装置を右斜め前方から見た状態を示す斜視図である。図２２は、第２演出装置を右斜め後方から見た状態を示す斜視図である。図２３は、第２演出装置を示す右側面図である。図２４は、第２演出装置の内部構造を示す分解斜視図である。図２５は、図２１のＬ−Ｌ断面図である。図２６は、（ａ）は回転体が通常位置に位置した状態を示す正面図であり、（ｂ）は回転体が回転位置に位置した状態を示す正面図である。
【０１７５】
図２１〜図２３に示すように、第２演出装置６００は、前述した装飾体３０１の所定箇所（本実施例では、演出表示装置９の上方位置）に固定されるベース体６０１と、該ベース体６０１の前面側に、前後方向を向く回動軸心回りに回動可能に支持された回転体６０２と、から主に構成されている。ベース体６０１には、回転体６０２を回動させるステッピングモータからなる第２回動モータ９７等が設けられている。
【０１７６】
図２４および図２５に示すように、回転体６０２は、所定色に着色された透光性を有する合成樹脂材にて逆Ｖ字形に形成された装飾プレート６０５ａ（図中網点領域）が前面に取り付けられる装飾プレート取付部材６０６と、装飾プレート取付部材６０６の背面側に嵌合されるレンズ部材６０７と、装飾プレート取付部材６０６およびレンズ部材６０７がネジ（図示略）により前面側に取り付けられるベース部材６０８と、により構成されている。これら装飾プレート６０５ａ、装飾プレート取付部材６０６、レンズ部材６０７、ベース部材６０８は全て透光性を有する合成樹脂材にて形成されている。
【０１７７】
ベース部材６０８の中央には、後述する取付ネジ６７２の取付孔６０８ａが前面に形成されているとともに、背面に回動軸６７０の前端が嵌合される筒状部６０８ｂが突設されており、該取付孔６０８ａに前面側から取付ネジ６７２が取り付けられることにより、回動軸６７０が軸心周りに相対回動不能、かつ、逸脱不能に固定される。
【０１７８】
また、筒状部６０８ｂの外周には、ワッシャー６７１が相対回転可能に環装されるようになっている。また、正面から見て左側上部には、マグネット６０９が設けられている。なお、マグネット６０９は、Ｎ極とＳ極とが前後方向に向けて配置されている。
【０１７９】
回動軸６７０は、断面視Ｄ字形状をなす所定長さの棒部材にて形成され、中心位置には、ベース部材６０８の取付ネジ６７２および後述するギヤ部材６７３の取付ネジ６７２’が螺入されるネジ穴６７０ａが軸心方向に向けて貫通して形成されている。
【０１８０】
ベース体６０１は、前面に回転体６０２を収容可能な収容凹部６２２が形成された枠状部材６２０と、枠状部材６２０の背面側に嵌合されるレンズ部材６３０と、レンズ部材６３０の背面側に配置され、その背面側に配置される第２演出ＬＥＤ６２を保護する保護シート６３５と、前面に複数の第２演出ＬＥＤ６２が配設された第２演出ＬＥＤ基板６４０と、枠状部材６２０、レンズ部材６３０、保護シート６３５および第２演出ＬＥＤ基板６４０が前面側にネジ（図示略）により取り付けられるベース部材６４５と、ベース部材６４５の背面側に配置される装飾部材６５０と、装飾部材６５０とともにベース部材６４５の背面側に取り付けられるとともに、背面側に第２回動モータ９７が固定されるモータ固定板６６０と、から主に構成されている。
【０１８１】
なお、枠状部材６２０、レンズ部材６３０および保護シート６３５は、透光性を有する合成樹脂材にて構成され、第２演出ＬＥＤ基板６４０の前面に配設された第２演出ＬＥＤ６２からの光を前方に透過可能とされている。
【０１８２】
枠状部材６２０の背面中央位置には、回動軸６７０が貫通される貫通孔を形成する円筒状の軸受筒６２１が突設されている。そしてこの軸受筒６２１の前面開口には、前述したワッシャー６７１が軸心周りに相対回動可能に嵌挿され、これにより枠状部材６２０が回動軸６７０を中心として回動可能に軸支される。なお、レンズ部材６３０、保護シート６３５、第２演出ＬＥＤ基板６４０および装飾部材６５０には、軸受筒６２１が貫通される貫通孔６３１，６３６，６４１，６４６，６５１がそれぞれ形成されている。
【０１８３】
軸受筒６２１の後端から背面側に突出した回動軸６７０の後端には、ギヤ部材６７３が嵌合されており、その後端面に取り付けられる取付ネジ６７２’により固着されている。ギヤ部材６７３は円柱状に形成され、その本体後部外周面には、第２回動モータ９７の駆動軸９７ａに固着される駆動ギヤ６５５に噛合するギヤ部６７３ａ（図２２参照）が形成されている。また、外周面におけるギヤ部６７３ａの前側には、第２回動センサ９２により検出される検出用切欠部６７４が形成された環状のフランジ部６７３ｂが形成されている。
【０１８４】
また、枠状部材６２０における収容凹部６２２の右側下部位置には、マグネット６１０が設けられている。なお、マグネット６１０は、Ｎ極とＳ極とが前後方向を向くとともに、マグネット６０９に対して吸引される（異なる）磁極を向けて配置されている。
【０１８５】
図２１に示すように、このように構成されたベース体６０１の前面側に回転体６０２が回転可能に組み付けられた状態において、ベース体６０１の前面と回転体６０２の前面とが略面一をなすとともに、ベース部材６０８の上下辺と枠状部材６２０の収容凹部６２２の上下辺とは、回転中心となる回動軸６７０を中心とする円弧にて構成されており、互いに近接して配置されている。
【０１８６】
また、回転体６０２の装飾プレート６０５ａとベース体６０１の装飾プレート６０５ｂ〜６０５ｄとは、図２６（ｂ）に示されるように、「Ｖ」記号を示す装飾部を構成する装飾プレートを分割することにより形成されたものであり、各装飾プレート６０５ａ〜６０５ｄは、「Ｖ」記号を示す装飾部の一部を構成する装飾部位とされている。
【０１８７】
そして、回転体６０２は、図２６（ａ）に示すように、装飾プレート６０５ａが逆Ｖ字形、つまり逆さまに配置される状態が通常位置とされ、図２６（ｂ）に示すように、装飾プレート６０５ａがＶ字形に配置される状態が回転位置とされており、通常位置および回転位置にて停止可能、かつ、通過可能に駆動制御される。
【０１８８】
図２６（ａ）に示すように、通常位置では、検出用切欠部６７４が第２回動センサ９２により検出される検出位置に配置され、回動の初期位置（基準位置）とされている。また、この通常位置では、マグネット６０９と６１０とが、回動軸６７０を挟んで該駆動軸９７ａを通る直線上に対向して配置されている。
【０１８９】
また、本実施例では、第２回動モータ９７としてステッピングモータを使用しているとともに、演出制御用マイクロコンピュータは、通常位置（初期位置）を基準とし、該通常位置からのステップ数にて回転体６０２の回転角度を特定する。よって、例えば通常位置から回転体６０２を１８０度回転させたときに回転を停止する制御を行うことで、回転体６０２を回転位置に停止させるようになっている。
【０１９０】
そして、第２回動モータ９７により駆動ギヤ６５５が回転されることによりギヤ部材６７３を介して回動軸６７０が回転し、これにより回転体６０２が前後方向を向く回動軸６７０を中心として正面から見て時計回りに約１８０度回転して回転位置に位置すると、装飾プレート６０５ａの左右一対の上端が装飾プレート６０５ｂ，６０５ｃに合致し、装飾プレート６０５ａの下端が装飾プレート６０５ｄに合致して、これら各装飾プレート６０５ａ〜６０５ｄにより、「Ｖ」記号を示す装飾部が形成される。
【０１９１】
また、この回転位置において、マグネット６０９とマグネット６１０とが対向位置に配置され、これにより互いの磁力による吸引作用が生じることにより、回転体６０２がベース体６０１に保持されるため、演出制御用マイクロコンピュータが回動軸６７０をステップ数に基づいて１８０度回転させた位置にて駆動を停止したときに、ステップ数のずれにより位置ずれが生じたり、あるいは、パチンコ遊技機１に何らかの衝撃が加わることがあっても、回転位置に位置決めされた回転体６０２が動くことが防止される。特に、回転体６０２とベース体６０１との双方をマグネット６０９，６１０とすることで、互いの磁力により求心作用が働くため、正確な位置に保持することが可能となる。
【０１９２】
また、これらマグネット６０９，６１０の磁力は、回転位置に位置している回転体６０２を互いの吸引作用に抗して回転させるのに必要な第２回動モータ９７のトルクよりも小さく設定されていることで、回転体６０２を回転位置を通過させる際に僅かに減速するなど回転に支障をきたすことがないので、遊技者に違和感を与えることがない。
【０１９３】
このように第２演出装置６００にあっては、第１回動モータ９７により回転体６０２を前後方向を向く回動軸６７０の軸心を中心として通常位置と回転位置との間で回動させることができるようになっている。よって、例えば演出表示装置９においてリーチが成立したときに、回転体６０２を３６０度回転させる演出動作を行わせたり、スーパーリーチに発展するときに、回転体６０２を回転位置に停止させるとともに、第２演出ＬＥＤ６２により装飾プレート６０５ａ〜６０５ｄを発光させるといった演出動作を行わせて、大当りに対する遊技者の期待感を高めること等が可能となる。
【０１９４】
なお、第１演出装置５００と第２演出装置６００とは、遊技状況に応じて個別に動作させることが可能であるとともに、一緒に動作させることも可能であり、例えばいずれか一方のみが動作した場合よりも、双方が動作した場合の方が大当りの期待感が高まるように制御するようにしてもよい。
【０１９５】
以上説明したように、本発明の実施例としてのパチンコ遊技機１の第１演出装置５００にあっては、回転体５０４を通常位置だけでなく回転位置にも停止可能となることで、回転体５０４の動作態様を多様化することができるばかりか、回転体５０４が回転位置に位置したときに第１回動モータ９５による駆動が停止されたときには、マグネット５６０による被吸着部材５６１の吸引作用により枠体５０３に対して回転体５０４が保持されるため、回転体５０４を回転位置に正確に位置決めすることができる。
【０１９６】
また、第２演出装置６００にあっては、回転体６０２を通常位置だけでなく回転位置にも停止可能となることで、回転体６０２の動作態様を多様化することができるばかりか、回転体６０２が回転位置に位置したときに第２回動モータ９７による駆動が停止されたときには、マグネット６０９（６１０）による被吸引部材６１０（６０９）の吸引作用によりベース体６０１に対して回転体６０２が保持されるため、回転体６０２を回転位置に正確に位置決めすることができる。
【０１９７】
よって、モータの駆動力が各種ギヤ５２５〜５２７を介して回動軸５１２に伝達されるとともに、第２従動ギヤ５２７に対して回動軸５１２が軸心周りに相対回動不能、かつ、軸心方向に相対移動可能に連結され、各ギヤ同士の連結部やギヤと回動軸との連結部に遊び（所謂バックラッシュ）が設けられている場合でも、回転位置における枠状部５０３ａに対する回転体５０４の停止位置に位置ずれが生じることを防止できる。
【０１９８】
また、モータとしてステッピングモータが採用されていることで、回転位置においてモータへの電力の供給が停止されると回動軸５１２の回動がフリーとなるが、磁力による吸引作用にて回転体５０４の不用意な回転や、ステップ数制御によるステップ角（回転角度）の誤差による位置ずれが防止される。特に、通常位置や回転位置において第１回動モータ９５への電力の供給が停止されると、パチンコ遊技機１で遊技を行うことにより発生する遊技球と障害釘との衝突、各種装置の駆動、遊技者により加えられる衝撃等により回転体５０４が回転することが防止される。
【０１９９】
また、第１演出装置５００では、マグネット５６０は永久磁石であり、マグネット５６０の被吸着部材５６１に対する磁力は、第１回動モータ９５が回転位置に位置している回転体５０４を駆動する際に第１回動モータ９５のトルクにより被吸着部材５６１が引き離される大きさとされていることで、永久磁石の磁力により回転体５０４の駆動が妨げられることがない。
【０２００】
また、第２演出装置６００では、マグネット６０９，６１０は永久磁石であり、マグネット６０９（６１０）の被吸引部材６１０（６０９）に対する磁力は、第２回動モータ９７が回転位置に位置している回転体６０２を駆動する際に第２回動モータ９７のトルクにより被吸引部材６１０（６０９）が引き離される大きさとされていることで、永久磁石の磁力により回転体６０２の駆動が妨げられることがない。
【０２０１】
また、これらマグネット５６０を有する第１演出装置５００およびマグネット６０９，６１０を有する第２演出装置６００は、図１に示すように、遊技領域７に設けられた装飾部材２５Ｒに配設されている。つまり、表面が金属材にて構成される遊技球が通過しない領域に設けられているため、これら第１演出装置５００，第２演出装置６００に設けられたマグネットの磁力による吸引作用により遊技球が引き付けられて流下に支障をきたす虞がない。
【０２０２】
さらに、図１に示すように、装飾部材２５Ｒの上部に配設された第２演出装置６００の左側方近傍は遊技球の通過領域とされているが、図２６（ｂ）に示すように、双方のマグネット６０９，６１０が合致する回転位置において、これらマグネット６０９，６１０は遊技球の通過領域から離れた正面から見て右側下部位置に配置されていることから、これら磁力による影響が遊技球に及びにくくなっている。
【０２０３】
また、図１に示すように、これら第１演出装置５００，第２演出装置６００は、磁力による影響を受けやすい近接スイッチからなる第１始動口スイッチ１４ａ、第２始動口スイッチ１５ａ、カウントスイッチ２３、入賞口スイッチ３０ａ，３０ｂや、可変入賞球装置１５を開閉するソレノイド１６、特別可変入賞球装置２０を開閉するソレノイド２１などから離れた位置に配置されている。
【０２０４】
すなわち、マグネット５６０，６０９，６１０は、上記各種近接スイッチに対してマグネットの磁力が作用する磁力範囲以上離れて配置されているため、マグネット５６０，６０９，６１０による磁力により各種近接スイッチが誤検出することが防止される。
【０２０５】
また、マグネット５６０，６０９，６１０は、可変入賞球装置１５を開閉するソレノイド１６、特別可変入賞球装置２０を開閉するソレノイド２１の磁力が作用する磁力範囲以上離れて配置されているため、ソレノイド１６，２１による磁力により回転体５０４，６０２が動いて位置ずれが発生することが防止される。
【０２０６】
また、第２演出装置６００では、ベース体６０１および回転体６０２には、所定の装飾態様を有する装飾部の一部を構成する装飾部位である装飾プレート６０５ａ〜６０５ｄがそれぞれ分割して設けられており、ベース体６０１が回転位置に位置したときに、ベース体６０１および回転体６０２それぞれに設けられた装飾プレート６０５ａ〜６０５ｄによって所定の装飾態様が形成されることで、ベース体６０１が回転位置に停止したときに双方の装飾プレート６０５ａ〜６０５ｄにより所定の装飾態様が形成されるため、演出効果が向上する。
【０２０７】
なお、本実施例では、装飾プレート６０５ａ〜６０５ｄにて構成される装飾部の装飾態様として「Ｖ」記号が適用されていたが、記号に限らず、文字や絵柄、あついは背景等であってもよい。つまり、回転位置において所定の装飾態様を構成するように装飾プレートが分割されていれば、ベース体６０１側と回転体６０２側との装飾部位の装飾態様が互いに連続する装飾とされていなくてもよい。
【０２０８】
また、第１演出装置５００では、ベース体５０１の枠状部５０３ａに第１演出ＬＥＤ６１ａが設けられるとともに、回転体５０４に第１演出ＬＥＤ６１ａからの光を受け入れる導光部である側周面５０４ｃおよび側周面５０４ｃに入射された光により発光する非装飾面５０４ａ、装飾面５０４ｂが設けられ、回転体５０４が回転位置に位置したときに、第１演出ＬＥＤ６１ａからの光が側周面５０４ｃに入射可能とされることで、回転体５０４に第１演出ＬＥＤ６１ａを設けずに済むため、配線処理が容易になるとともに、回転体５０４の荷重が増加して第１回動モータ９５に負荷がかかることが防止される。
【０２０９】
この場合、上記したようにマグネット５６０の磁力による被吸着部材５６１の吸引作用により回転体５０４が回転位置に正確に配置されるため、第１演出ＬＥＤ６１ａからの光を側周面５０４ｃに確実に照射することが可能となる。
【０２１０】
なお、本実施例では、ベース体５０１の枠状部５０３ａに第１演出ＬＥＤ６１ａが設けられていたが、回転体５０４に第１演出ＬＥＤ６１ａを設け、枠状部５０３ａに導光部および発光部を設け、回転体５０４からの光により枠状部５０３ａが発光するようにしてもよい。
【０２１１】
また、第１演出装置５００では、被吸着部材５６１を嵌合凹部５５８ｃに嵌合する嵌合位置と該嵌合位置から退避する退避位置Ｂとの間で出退可能に設け、回転体５０４が回転位置に停止したときに、マグネット５６０の吸引作用により嵌合位置まで移動するとともに、回転位置に停止しないときには退避位置Ｂに退避されるようにしたことで、回転体５０４が回転位置に位置したときに被吸着部材５６１が他方に嵌合されることで、回転体５０４を回転位置に正確に位置決めすることができるとともに、回転位置に停止しないときには被吸着部材５６１が回転体５０４の駆動に支障をきたすことがない。
【０２１２】
なお、本実施例では、被吸着部材５６１を嵌合位置と退避位置Ｂとの間で出退可能に設けていたが、マグネット５６０を嵌合位置と退避位置Ｂとの間で出退可能に設けてもよい。
【０２１３】
また、フレキシブル基板５１１ａ，５１１ｂにおける一対の内リブ５８０ａ，５８０ｂに対応する２箇所が湾曲凹部側から保持された状態で、外リブ５８１に対応する１箇所が湾曲凸部側から湾曲凹部側に向けて押圧され、これによりフレキシブル基板における電気部品周辺の少なくとも３箇所が保持されることで、少なくともフレキシブル基板５１１ａ，５１１ｂの第１演出ＬＥＤ６１ａ，６１ｂの配設位置近傍の曲率が該第１演出ＬＥＤ６１ａ，６１ｂに対応して配置される内周壁５７０や外周壁５７１の曲率よりも小さくなるため、フレキシブル基板５１１ａ，５１１ｂに配設された第１演出ＬＥＤ６１ａ，６１ｂの基板からの浮き上がりが防止される。
【０２１４】
第１演出ＬＥＤ６１ａ，６１ｂはフレキシブル基板５１１ａ，５１１ｂの湾曲凹部側に配設され、外リブ５８１ａは、フレキシブル基板５１１ａ，５１１ｂにおける第１演出ＬＥＤ６１ａ，６１ｂに対応する位置に配設されることで、フレキシブル基板５１１ａ，５１１ｂにおける第１演出ＬＥＤ６１ａ，６１ｂの配設位置を凹部側の２つの内リブ５８０ａ，５８０ｂと凸部側の１つの外リブ５８１にて３箇所で保持することができるため、構造を簡素化できるとともに、フレキシブル基板５１１ａ，５１１ｂを内リブと外リブにて簡単に保持することができる。
【０２１５】
フレキシブル基板５１１ａ，５１１ｂは、メッキ処理が施されたメッキ装飾部を有する枠状部５０３ａに設けられ、内リブ５８０ａ，５８０ｂおよび外リブ５８１ａは、枠状部５０３ａにおける非メッキ装飾部（内面）に一体的に形成されていることで、メッキ装飾部によるアース作用にて構造物の帯電が防止されるとともに、メッキ装飾部はフレキシブル基板５１１ａ，５１１ｂに施された導線に接触されないので、静電気等による電気部品の故障等が防止される。
【０２１６】
また、第１演出装置５００では、回動軸５１２が挿通孔５２７ａに対し軸心周りに相対回転不能、かつ、軸心方向に相対移動可能に挿通されていることで、第１回動モータ９５によって回転体５０４を回転させることができるとともに、昇降モータ９６によるガイドピン５３７の上下移動に連動する下部軸受５１６、上部軸受５６５を有する枠体５０３によって回転体５０４を軸心方向に移動させることができる。すなわち、回動軸５１２と第２従動ギヤ５２７とが軸心方向に相対移動可能に連結されていることで、昇降モータ９６により回転体５０４を軸心方向に移動させる際に第１回動モータ９５の荷重が加わることがなく、また、第１回動モータ９５により回転体５０４を回転させる際に昇降モータ９６の荷重が加わることがないので、それぞれの第１回動モータ９５、昇降モータ９６にかかる負荷を軽減することができる。
【０２１７】
また、昇降体５０２の昇降動作に応じて駆動ギヤ５２５を第２従動ギヤ５２７に対して回動軸心方向に摺動させる場合、従動ギヤ５２７に対する駆動ギヤ５２５の噛合位置によってギヤのバックラッシュが異なることがあるのに対し、駆動ギヤ５２５と従動ギヤ５２７との相対位置関係が変化することがないので、昇降移動により昇降体５０２の位置が変わっても、回転体５０４の回動に変化が生じることがない。
【０２１８】
また、回動軸５１２と第２従動ギヤ５２７または駆動ギヤ５２５と第１従動ギヤ５２６は互いに摩擦抵抗値が異なる素材（例えば金属材と合成樹脂材のような異素材や、あるいは同素材でも炭素含有量が異なる素材など）で構成されていることで、往復移動時において双方の摺動が円滑に行われるため、往復移動に支障をきたす虞がない。
【０２１９】
また、回動軸５１２を支持する下部軸受５１６を備え、回動軸５１２における下部軸受５１６に支持される被軸受部５５０ｄの直径は、該被軸受部５５０ｄ以外の直径よりも小さいことで、下部軸受５１６に対する被軸受部５５０ｄの摩擦抵抗を極力小さくすることができるため、第１回動モータ９５にかかる負荷を軽減することができる。
【０２２０】
また、回動軸５１２は、第２従動ギヤ５２７が挿通されない断面視円形状の円形部５５０ｂと第２従動ギヤ５２７が挿通される断面視略非円形状の摺動部５５０ｃと、を有し、摺動部５５０ｃは、押出成型にて断面視円形状に成型した成型物の一部を切削加工することにより形成されることで、回動軸５１２を射出成型で形成する場合よりも成型精度が高まるため、回転時におけるガタツキ等を抑えることができる。
【０２２１】
また、本実施例では、回動軸５１２の一部に断面視略非円形状（本例ではＤ型）の摺動部５５０ｃが形成されていたが、押出し成型により全長にわたり断面が略非円形状の回動軸５１２を構成してもよい。
【０２２２】
また、本実施例では、摺動部５５０ｃは断面視略Ｄ字形に形成されていたが、挿通孔５２７ａ内に軸心方向に摺動可能、かつ、軸心周りに相対回動不能に挿通される異形状であれば、例えば断面形状は楕円形状やキー溝形状等であってもよい。
【０２２３】
（変形例）
次に、本発明の変形例について、図２７〜図３１にもとづいて説明する。図２７は、フレキシブル基板を保持するリブの変形例１を示す図である。図２８は、（ａ）はフレキシブル基板を保持するリブの変形例２を示す図であり、（ｂ）は（ａ）のＭ−Ｍ断面図である。図２９は、（ａ）はフレキシブル基板を保持するリブの変形例３を示す図であり、（ｂ）は（ａ）のＮ−Ｎ断面図である。図３０は、第１演出装置の駆動機構の変形例を示す図である。図３１は、（ａ）〜（ｃ）は演出装置の変形例を示す概略図である。
【０２２４】
前記実施例では、フレキシブル基板５１１ａ，５１１ｂを保持する板状部材にて形成されたリブ５８０，５８１は、フレキシブル基板５１１ａ，５１１ｂの内面、外面に対し垂直な姿勢で当接するとともに、内リブ５８０と外リブ５８１とが互いに長手方向にずれた位置に配置されていたが、図２７に示すように、内リブ５８０Ａ，５８０Ｂと外リブ５８１Ａ，５８１Ｂとによりフレキシブル基板５１１ａ，５１１ｂを内外から挟持することにより保持するようにしてもよい。
【０２２５】
また、これら内リブ５８０Ａ，５８０Ｂと外リブ５８１Ａ，５８１Ｂとの対向面を長手方向に向けて延設される所定長さの平坦面５８０Ｔ，５８１Ｔにて構成することで、フレキシブル基板５１１ａ，５１１ｂにおける第１演出ＬＥＤ６１ａの配設位置周辺を直線状に配設することができる。このように内リブ５８０Ａ，５８０Ｂと外リブ５８１Ａ，５８１Ｂとによりフレキシブル基板を挟持することで、第１演出ＬＥＤ６１ａの配設位置周辺のＡＢ間を強制的に所定曲率にすることができる。
【０２２６】
また、前記実施例では、投光部５７３は内周壁５７０に形成されていたが、外周壁５７１に形成してもよい。すなわち、第１演出ＬＥＤ６１ａおよび投光部５７３は、湾曲凹部側および湾曲凸部側のいずれに形成されていてもよい。
【０２２７】
また、前記実施例では、フレキシブル基板５１１ａ，５１１ｂを複数のリブ５８０，５８１にて所定曲率に保持していたが、図２８に示すように、枠状部５０３ａにフレキシブル基板５１１ａ，５１１ｂを差し込み可能な凹溝状のスリット５７４を長手方向に向けて延設するようにしてもよい。具体的には、スリット５７４は、フレキシブル基板５１１ａ，５１１ｂの内面に対向する第１曲壁部と、フレキシブル基板５１１ａ，５１１ｂの外面に対向する第２曲壁部と、によりフレキシブル基板５１１ａ，５１１ｂを収容可能な凹溝形状に形成されるとともに、第１演出ＬＥＤ６１ａの配設位置周辺のＡＢ間が略直線状に形成されている。つまり、ＡＢ間におけるスリット５７４の第１曲壁部（内面）は第１保持部および第２保持部を構成する第１平坦状壁部からなり、第２曲壁部（内面）は第３歩時部を構成する第２平坦状壁部からなる。言い換えると、内リブ５８０ａ，５８０ｂや外リブ５８１ａが基板の長手方向に延設された平坦状壁部からなることで、スリット５７４における第１演出ＬＥＤ６１ａの配設位置周辺のＡＢ間を強制的に所定曲率にすることができる。
【０２２８】
また、前記実施例では、フレキシブル基板５１１ａ，５１１ｂは、前枠部材５１０ａの背面に直接配設されていたが、図２９に示すように、例えば透光性を有するケース本体５９０ａとカバー体５９０ｂとにより開閉可能に構成された平面視略Ｓ字形の基板ケース５９０内に収容した状態で所定の配設位置に配設するようにしてもよい。
【０２２９】
また、前記実施例では、フレキシブル基板５１１ａ，５１１ｂに搭載される電気部品として第１演出ＬＥＤ６１ａが適用され、フレキシブル基板５１１ａ，５１１ｂにおける第１演出ＬＥＤ６１ａの周辺の曲率をリブにより小さくしていたが、例えばフレキシブル基板５１１ａ，５１１ｂに電気部品としての基板側コネクタ６１ｄが配設されている場合、リブによりその周辺の曲率を小さくするようにしてもよい。また、フレキシブル基板５１１ａ，５１１ｂにＬＥＤやコネクタ以外の電気部品が搭載される場合、その周辺の曲率をリブにより小さくするようにしてもよい。
【０２３０】
また、前記実施例では、フレキシブル基板５１１ａ，５１１ｂは一方向に湾曲する一の湾曲部に沿って配設されていたが、異なる方向に湾曲する複数の湾曲部に沿って連続して配設されていてもよい。
【０２３１】
また、前記実施例では、外リブ５８１は、フレキシブル基板５１１ａ，５１１ｂにおける内リブ５８０ａ，５８０ｂ間の略中央位置を湾曲凹部側に向けて押圧するように配置されていたが、例えばフレキシブル基板５１１ａ，５１１ｂにおける内リブ５８０ａ，５８０ｂ間であれば略中央位置を押圧するものに限定されるものではなく、内リブ５８０ａ，５８０ｂのうちいずれかに偏った位置を押圧しても、フレキシブル基板５１１ａ，５１１ｂにおける内リブ５８０ａ，５８０間の曲率が曲壁部である内周壁５７０の内面よりも小さくなればよい。
【０２３２】
また、前記実施例では、外リブ５８１により湾曲凹部側に向けて押圧されることにより、フレキシブル基板５１１ａ，５１１ｂにおける内リブ５８０ａ，５８０ｂ間の曲率が全体的に略均一に小さくされていたが、内リブ５８０ａ，５８０ｂ間の一部の曲率のみが局所的に曲壁部である内周壁５７０の内面よりも小さければ、内リブ５８０ａ，５８０ｂ間における他の部位の曲率は必ずしも内周壁５７０の内面よりも小さくなくてもよい。
【０２３３】
また、前記実施例では、フレキシブル基板５１１ａ，５１１ｂにおける内リブ５８０ａ，５８０ｂ間は、略円弧状に湾曲する内周壁５７０の内面に沿って配設されるが、例えば内周壁５７０の内面が略逆Ｕ字形状等の非円弧形状に湾曲する場合、基板における湾曲頂部を外リブ５８１により湾曲凹部側に向けて押圧することにより該湾曲頂部の曲率のみが部分的に内周壁５７０の内面よりも小さくなればよい。
【０２３４】
また、前記実施例では、１つの外リブ５８１により基板を湾曲凹部側に向けて押圧していたが、第１演出ＬＥＤ６１ａ，６１ｂの両側に設けた一対の外リブ５８１，５８１により湾曲凹部側に向けて押圧してもよく、このように一対の内リブ５８０ａ，５８０ｂおよび一対の外リブ５８１，５８１によりフレキシブル基板５１１ａ，５１１ｂにおける第１演出ＬＥＤ６１ａ，６１ｂ周辺の４箇所を保持することで、第１演出ＬＥＤ６１ａ，６１ｂの両側を安定して保持できるため、押圧により姿勢が変更されて照射方向が変わってしまうことが防止される。
【０２３５】
また、この場合、一対の外リブ５８１，５８１と一対の内リブ５８０ａ，５８０ｂとを、それぞれ第１演出ＬＥＤ６１ａ，６１ｂを中心として基板の長手方向の両側に対象配置することが好ましく、このように対称に配置することで基板における内リブ５８０ａ，５８０ｂ間の曲率を全体的に偏りなく均一に小さくすることができ、これにより第１演出ＬＥＤ６１ａ，６１ｂの姿勢が変更されて照射方向が変わってしまうことが防止される。
【０２３６】
また、前記実施例では、第１演出装置５００は、第２従動ギヤ５２７の挿通孔５２７ａに回動軸５１２が相対回動不能、かつ軸心方向に摺動可能に挿通されることにより、回転体５０４が昇降可能、かつ、回動可能とされていたが、例えば図３０に示すように、第２従動ギヤ５２７’を軸心方向に向けて所定長さを有する長寸のギヤとし、回動軸５１２に相対回動不能に固定するとともに、第１従動ギヤ５２６に対して、軸心方向に摺動可能に噛合するようにしてもよい。
【０２３７】
このように、回動軸５１２に設けられた第２従動ギヤ５２７’に対し第１従動ギヤ５２６が軸心方向に摺動可能に噛合されていることで、第１回動モータ９５によって回転体５０４を回転させることができるとともに、昇降モータ９６によるガイドピン５３７の上下移動に連動する下部軸受５１６、上部軸受５６５を有する枠体５０３によって回転体５０４を軸心方向に移動させることができる。すなわち、回動軸５１２の第２従動ギヤ５２７’と第２従動ギヤ５２７とが軸心方向に相対移動可能に連結されていることで、昇降モータ９６により回転体５０４を軸心方向に移動させる際に第１回動モータ９５の荷重が加わることがなく、また、第１回動モータ９５により回転体５０４を回転させる際に昇降モータ９６の荷重が加わることがないので、それぞれの第１回動モータ９５、昇降モータ９６にかかる負荷を軽減することができる。
【０２３８】
よって、前記実施例の場合、第２従動ギヤ５２７の挿通孔５２７ａに回動軸５１２を挿通させる必要があるため、第２従動ギヤ５２７と回動軸５１２との組み付けが複雑になるのに対し、回動軸５１２の第２従動ギヤ５２７’に対して第１従動ギヤ５２６を簡単に噛合させることができるので、第２従動ギヤ５２７と回動軸５１２との組み付けが容易になる。また、ギヤ形状部は回動軸５１２周りに環装された第２従動ギヤ５２７’により構成されていたが、回動軸５１２の外周にギヤ形状部が直接形成されていてもよい。
【０２３９】
また、図３０においては、昇降移動範囲内においてギヤが噛合されるように、回動軸５１２の第２従動ギヤ５２７’と第１従動ギヤ５２６とのうち第２従動ギヤ５２７’が軸心方向に向けて所定長さに形成されていたが、第２従動ギヤ５２７を軸心方向に向けて所定長さに形成されていてもよい。
【０２４０】
また、前記実施例では、軸部材としての回動軸５１２が可動部としての回転体５０４に連結（固着）され、筒部材としての第２従動ギヤ５２７がベース部側の第１従動ギヤ５２６に連結されていたが、第２従動ギヤ５２７が可動部としての回転体５０４に連結され、回動軸５１２がベース部側の第１従動ギヤ５２６に連結されていてもよい。
【０２４１】
また、前記実施例では、可動部としての回転体５０４は、回動軸５１２の軸心周りに回動可能に設けられていたが、回動軸５１２の回転により回転するものに限定されるものではなく、例えば、回動軸５１２に対し所定のギヤ機構を介して連結され、該回動軸５１２の軸心とは異なる方向を向く回動軸周りに回動または揺動可能に設けられていてもよい。
【０２４２】
また、前記実施例では、第１演出装置５００の回転体５０４、第２演出装置６００の回転体６０２は回動軸周りに回動する回転体であり、これら回転体５０４，６０２をマグネットによる吸引作用を用いて所定の回転位置にて停止させるようになっていたが、例えば図３１に示すように、図示しないステッピングモータにより駆動する駆動プーリ８０１と、該駆動プーリ８０１から離間して配置された従動プーリ８０２と、駆動プーリ８０１と従動プーリ８０２とに掛け渡されたベルト７０３の所定箇所に固定された可動体８０７と、から構成され、可動体８０７が第１位置Ａと第２位置Ｂとの間で水平方向に往復動可能に設けられた演出装置８００において、可動体８０７を第１位置Ａと第２位置Ｂとの間の第３位置にてマグネットの吸引作用を用いて停止させてもよい。
【０２４３】
具体的には、可動体８０７の下端には、第１位置Ａに設けられる第１センサ８０４ａおよび第２位置に設けられる第２センサ８０４ｂにて検出される検出部としてマグネット８０５を設けるとともに、第３位置においてマグネット８０５に吸引されるマグネット８０６（または磁性体）を配設する。
【０２４４】
この場合、図示しないステッピングモータの駆動により、可動体８０７をＡＢ間で往復動させることが可能であるとともに、第１位置Ａおよび第２位置Ｂにおいては、第１センサ８０４ａ、第２センサ８０４ｂによりマグネット８０５が検出されることで可動体８０７を停止させることができ、第１位置から所定ステップ数移動させた時点でステッピングモータを停止させたとき、マグネット８０５，８０６の吸引作用にて、第３位置Ｃに可動体８０７を停止させることができる。
【０２４５】
例えば図３１（ａ）に示すように、スーパーリーチに移行したときに、第１位置Ａに停止された可動体８０７（列車）が第３位置Ｃに停止すれば大当りする演出が実行された場合、はずれの場合は第３位置Ｃの手前や第３位置Ｃを通過して第２位置Ｂに停止され（図３１（ｂ）参照）、大当りの場合には、第３位置Ｃにて停止される（図３１（ｃ）参照）。このように可動体８０７を第３位置Ｃに停止させる演出において、演出表示装置９の画面に停止位置の背景等を表示させる場合、第３位置Ｃに可動体８０７を停止させたときに背景画像との位置関係にずれが生じることがないので、遊技者に違和感を与えることがない。
【０２４６】
以上、本発明の実施例を図面により説明してきたが、具体的な構成はこれら実施例に限られるものではなく、本発明の要旨を逸脱しない範囲における変更や追加があっても本発明に含まれる。
【０２４７】
また、前記実施例では、遊技媒体の一例として、球状のパチンコ球（遊技球）が適用されていたが、球状の遊技媒体に限定されるものではなく、例えばメダル等の非球状の遊技媒体であってもよい。
【０２４８】
また、遊技機の一例として、パチンコ遊技機１が適用されていたが、メダル等の遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシン、雀球、アレンジボール等の種々の遊技機にも適用可能である。
【符号の説明】
【０２４９】
１            パチンコ遊技機
６            遊技盤
５００        第１演出装置
５０１        ベース体
５０２        昇降体
５０３        枠体
５０４        回転体
５１１ａ、５１１ｂ    フレキシブル基板
５１２        回動軸
５２７        第２従動ギヤ
５２７ａ      挿通孔
５６０        マグネット
５６１        被吸着部材
５８０        内リブ
５８１        外リブ
６００        第２演出装置
６０１        ベース体
６０２        回転体
６０５ａ〜６０５ｄ  装飾プレート
６０９，６１０      マグネット
【図１】
0005985666.tif 000002
【図２】
0005985666.tif 000003
【図３】
0005985666.tif 000004
【図４】
0005985666.tif 000005
【図５】
0005985666.tif 000006
【図６】
0005985666.tif 000007
【図７】
0005985666.tif 000008
【図８】
0005985666.tif 000009
【図９】
0005985666.tif 000010
【図１０】
0005985666.tif 000011
【図１１】
0005985666.tif 000012
【図１２】
0005985666.tif 000013
【図１３】
0005985666.tif 000014
【図１４】
0005985666.tif 000015
【図１５】
0005985666.tif 000016
【図１６】
0005985666.tif 000017
【図１７】
0005985666.tif 000018
【図１８】
0005985666.tif 000019
【図１９】
0005985666.tif 000020
【図２０】
0005985666.tif 000021
【図２１】
0005985666.tif 000022
【図２２】
0005985666.tif 000023
【図２３】
0005985666.tif 000024
【図２４】
0005985666.tif 000025
【図２５】
0005985666.tif 000026
【図２６】
0005985666.tif 000027
【図２７】
0005985666.tif 000028
【図２８】
0005985666.tif 000029
【図２９】
0005985666.tif 000030
【図３０】
0005985666.tif 000031
【図３１】
0005985666.tif 000032